(57)【特許請求の範囲】
【請求項１】
第１の無線アクセス技術（ＲＡＴ）を使用する第１の通信リンクを介してユーザ機器（ＵＥ）にデータをサービスすること、または前記ＵＥからデータを受信することと、
データが、第２のＲＡＴを使用する第２の通信リンクを介してサービスされるまたは受信されることを示す構成メッセージを前記ＵＥに送信することと、
少なくとも１つの第１のプロトコルレイヤステータス報告を前記ＵＥに送信することと、ここにおいて、前記第１のプロトコルレイヤステータス報告はパケットデータコンバージェンスプロトコル（ＰＤＣＰ）レイヤステータス報告または無線リンク制御（ＲＬＣ）レイヤステータス報告を含む、
前記ＵＥから受信される少なくとも１つの第２のプロトコルレイヤステータス報告に基づいて、前記第１のＲＡＴを使用して前記ＵＥにサービスされた前記データのうちの肯定応答がないデータを決定することと、
前記ＰＤＣＰレイヤステータス報告または前記ＲＬＣレイヤステータス報告を受信した後に、前記肯定応答がないデータの、サービスまたは受信を、前記第１のＲＡＴを使用する前記第１の通信リンクから、前記第２のＲＡＴを使用する前記第２の通信リンクに切り替えるための構成手順を開始することと、ここにおいて、前記少なくとも１つの第１のプロトコルレイヤステータス報告が、前記第２のＲＡＴに切り替えられているデータベアラ上で送信される、
を備える、基地局のワイヤレス通信の方法。
【請求項２】
前記第２のＲＡＴを使用してサービスされるべき、前記肯定応答がないデータをフォワーディングすることをさらに備える、請求項１に記載の方法。
【請求項３】
前記構成メッセージが、データステータス報告と、前記ＵＥからのデータステータス報告についての要求とを備え得る、請求項１に記載の方法。
【請求項４】
少なくとも１つの条件に基づいて、前記第２のＲＡＴを使用して前記データをサービスすることを決定することをさらに備える、請求項１に記載の方法。
【請求項５】
前記少なくとも１つの条件が、前記ＵＥからの前記構成メッセージについての物理レイヤ肯定応答の受信、または前記構成メッセージに応答する無線リソース制御（ＲＲＣ）メッセージの受信を備える、請求項４に記載の方法。
【請求項６】
前記第２のＲＡＴを使用して前記データをサービスすることを決定すると、無線リンク制御（ＲＬＣ）レイヤをリセットすることをさらに備える、請求項４に記載の方法。
【請求項７】
前記少なくとも１つの第２のプロトコルレイヤステータス報告を前記ＵＥから受信することをさらに備え、前記少なくとも１つの第２のプロトコルレイヤステータス報告が、前記第１のＲＡＴを介して前記ＵＥにサービスされた前記データのうちの前記ＵＥによって受信されたデータを識別する、請求項１に記載の方法。
【請求項８】
前記少なくとも１つの第２のプロトコルレイヤステータス報告が、前記第１のＲＡＴを介して受信される、請求項７に記載の方法。
【請求項９】
前記少なくとも１つの第２のプロトコルレイヤステータス報告が、パケットデータコンバージェンスプロトコル（ＰＤＣＰ）レイヤステータス報告または無線リンク制御（ＲＬＣ）レイヤステータス報告のうちの少なくとも１つを備える、請求項７に記載の方法。
【請求項１０】
前記第１のＲＡＴを使用する前記第１の通信リンクを介して前記構成メッセージについて前記ＵＥから肯定応答メッセージを受信することをさらに備え、ここにおいて、少なくとも１つの第２のプロトコルレイヤステータス報告が、前記肯定応答メッセージと同時に、または前記肯定応答メッセージ内で前記ＵＥから受信される、請求項１に記載の方法。
【請求項１１】
前記構成メッセージについて前記ＵＥから肯定応答を受信することをさらに備え、ここにおいて、肯定応答がないデータが、前記受信された肯定応答に応答して前記第２のＲＡＴにフォワーディングされる、請求項１に記載の方法。
【請求項１２】
前記構成メッセージについての物理レイヤ肯定応答を検出することをさらに備え、ここにおいて、前記肯定応答がないデータが、前記検出された物理レイヤ肯定応答に応答してフォワーディングされる、請求項１に記載の方法。
【請求項１３】
前記少なくとも１つの第１のプロトコルレイヤステータス報告が、前記構成メッセージと同時に、あるいは前記構成メッセージまたは別のシグナリングメッセージ内で前記ＵＥに送られる、請求項１に記載の方法。
【請求項１４】
前記少なくとも１つの第１のプロトコルレイヤステータス報告が、前記第１のＲＡＴまたは前記第２のＲＡＴを介して送られる、請求項１に記載の方法。
【請求項１５】
前記少なくとも１つの第１のプロトコルレイヤステータス報告が、前記構成メッセージと同時に、前記構成メッセージについての前記ＵＥからの物理レイヤ肯定応答の受信の後に、または前記構成メッセージについて前記ＵＥから肯定応答メッセージを受信した後に、のいずれかで、前記第１のＲＡＴを介して前記ＵＥに送られる、請求項１４に記載の方法。
【請求項１６】
前記少なくとも１つの第１のプロトコルレイヤステータス報告が、パケットデータコンバージェンスプロトコル（ＰＤＣＰ）レイヤステータス報告または無線リンク制御（ＲＬＣ）レイヤステータス報告のうちの少なくとも１つを備える、請求項１に記載の方法。
【請求項１７】
前記第２のＲＡＴを使用する前記第２の通信リンクを介してアクセスポイント（ＡＰ）からフィードバック情報を受信することをさらに備え、ここにおいて、前記フィードバック情報が、正常に送信されたデータパケットおよび失敗したデータパケットについてのステータスを示す、請求項１に記載の方法。
【請求項１８】
前記第２のＲＡＴを使用する前記第２の通信リンクを介してサービスされるべき前記データのコピーをバッファ中に記憶することをさらに備える、請求項１に記載の方法。
【請求項１９】
前記第２のＲＡＴを使用する前記第２の通信リンクを介してパケットの送信成功のステータスについてアクセスポイント（ＡＰ）または前記ＵＥからフィードバック情報を受信することと、
前記フィードバック情報に基づいて、前記ＵＥまたは前記ＡＰのバッファ中で待機しているフォワーディングされたデータの量がしきい値を超えるかどうかを決定することと、
アクセスポイント（ＡＰ）バッファ中の前記データの量が前記しきい値を超えるとき、前記ＡＰにデータをもはやフォワーディングしないことと
をさらに備える、請求項１に記載の方法。
【請求項２０】
前記第２のＲＡＴ上の送信エラーによる失敗したパケットの量がしきい値を超えるとき、前記第２のＲＡＴを使用する前記第２の通信リンクを介してアクセスポイント（ＡＰ）または前記ＵＥにデータをもはやフォワーディングしないことをさらに備える、請求項１に記載の方法。
【請求項２１】
前記少なくとも１つの第２のプロトコルレイヤステータス報告は、前記少なくとも１つの第２のプロトコルレイヤステータス報告が前記第２のＲＡＴを介して受信されるとき、アクセスポイント（ＡＰ）または前記ＵＥを通して受信される、請求項２０に記載の方法。
【請求項２２】
前記第１のＲＡＴを使用する前記第１の通信リンク、または前記第２のＲＡＴを使用する前記第２の通信リンクを介して前記ＵＥとの間で、前記少なくとも１つの第１のプロトコルレイヤステータス報告を送信することと、前記少なくとも１つの第２のプロトコルレイヤステータス報告を受信することとをさらに備える、請求項１に記載の方法。
【請求項２３】
前記第２のＲＡＴを使用する前記第２の通信リンク上の送信エラーによる失敗したパケットの量がしきい値を超えるとき、前記第２のＲＡＴを使用する前記第２の通信リンクを介してアクセスポイント（ＡＰ）または前記ＵＥにデータをもはやフォワーディングしないことをさらに備える、請求項１に記載の方法。
【請求項２４】
第１の無線アクセス技術（ＲＡＴ）を使用する第１の通信リンクを介して、ネットワークからサービスされた第１のデータを受信すること、または前記ネットワークに第２のデータを送信することと、
第２のＲＡＴを使用する第２の通信リンクを介して、前記第１のデータが前記ネットワークからサービスされるか、または前記第２のデータが前記ネットワークに送信されることを示す構成メッセージを前記ネットワークから受信することと、
少なくとも１つの第１のプロトコルレイヤステータス報告を前記ネットワークから受信することと、前記少なくとも１つの第１のプロトコルレイヤステータス報告が、前記第１のＲＡＴを使用する前記第１の通信リンク、または前記第２のＲＡＴを使用する前記第２の通信リンクを介して受信され、ここにおいて、前記第１のプロトコルレイヤステータス報告はパケットデータコンバージェンスプロトコル（ＰＤＣＰ）レイヤステータス報告または無線リンク制御（ＲＬＣ）レイヤステータス報告を含む、
少なくとも１つの第２のプロトコルレイヤステータス報告を前記ネットワークに送信することと、前記少なくとも１つの第２のプロトコルレイヤステータス報告が、前記ネットワークからサービスされた前記第１のデータに関連する、
前記第２のＲＡＴを使用する前記第２の通信リンクを介して、前記ネットワークからサービスされた前記第１のデータを受信するために、または前記ネットワークに前記第２のデータを送信するために、前記受信された構成メッセージに基づいて、少なくとも１つのプロトコルレイヤを構成することと、
前記第２のＲＡＴを使用する前記第２の通信リンクを介して、前記ネットワークからサービスされた前記第１のデータを受信すること、または前記ネットワークに前記第２のデータを送信することと、
前記ＰＤＣＰレイヤステータス報告または前記ＲＬＣレイヤステータス報告を受信した後に、前記第１のＲＡＴを使用する前記第１の通信リンクを介して前記ネットワークに最初に送信された前記第２のデータのうちの肯定応答がないデータを、前記第２のＲＡＴを使用する前記第２の通信リンクを介して前記ネットワークに送信することと、ここにおいて、前記少なくとも１つの第１のプロトコルレイヤステータス報告が、前記第２のＲＡＴに切り替えられているデータベアラ上で受信される、
を備える、ユーザ機器（ＵＥ）のワイヤレス通信の方法。
【請求項２５】
メモリと、
前記メモリに結合された少なくとも１つのプロセッサと
を備え、前記少なくとも１つのプロセッサは、
第１の無線アクセス技術（ＲＡＴ）を使用する第１の通信リンクを介してユーザ機器（ＵＥ）にデータをサービスすること、または前記ＵＥからデータを受信することと、
少なくとも１つの第１のプロトコルレイヤステータス報告を前記ＵＥに送信することと、ここにおいて、前記第１のプロトコルレイヤステータス報告はパケットデータコンバージェンスプロトコル（ＰＤＣＰ）レイヤステータス報告または無線リンク制御（ＲＬＣ）レイヤステータス報告を含む、
データが、第２のＲＡＴを使用する第２の通信リンクを介してサービスされるまたは受信されることを示す構成メッセージを前記ＵＥに送信することと、
前記ＵＥから受信される少なくとも１つの第２のプロトコルレイヤステータス報告に基づいて、前記第１のＲＡＴを使用して前記ＵＥにサービスされた前記データのうちの肯定応答がないデータを決定することと、
前記ＰＤＣＰレイヤステータス報告または前記ＲＬＣレイヤステータス報告を受信した後に、前記肯定応答がないデータの、サービスまたは受信を、前記第１のＲＡＴを使用する前記第１の通信リンクから、前記第２のＲＡＴを使用する前記第２の通信リンクに切り替えるための構成手順を開始することと、ここにおいて、前記少なくとも１つの第１のプロトコルレイヤステータス報告が、前記第２のＲＡＴに切り替えられているデータベアラ上で送信される、
を行うように構成された、
ワイヤレス通信のための装置。
【発明の詳細な説明】
【技術分野】
【０００１】
関連出願の相互参照
[0001]本出願は、それらの全体が参照により本明細書に明確に組み込まれる、２０１４年１月１７日に出願された「TECHNIQUES FOR SWITCHING BEARERS BETWEEN RADIO ACCESS TECHNOLOGIES (RATS)」と題する米国仮出願第６１／９２８，９４７号、および２０１５年１月１５日に出願された「TECHNIQUES FOR SWITCHING BEARERS BETWEEN RADIO ACCESS TECHNOLOGIES (RATS)」と題する米国特許出願第１４／５９８，１７０号の利益を主張する。
【０００２】
[0002]本開示は、一般に通信システムに関し、より詳細には、無線アクセス技術（ＲＡＴ）の間でベアラを切り替える技法に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサル・モバイル・テレコミュニケーションズ・システム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ：multiple-input multiple-output）アンテナ技術を使用して他のオープン規格とより良く統合することによって、モバイル・ブロードバンド・インターネットアクセスをより良くサポートするように設計されている。しかしながら、モバイル・ブロードバンド・アクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、無線アクセス技術（ＲＡＴ）の間でベアラを切り替えるための技法が提供される。本開示の一態様では、方法、コンピュータプログラム製品、および装置が提供される。一態様では、装置によって実行される方法は、第１のＲＡＴを使用する第１の通信リンクを介してユーザ機器（ＵＥ）にデータをサービスすること、またはＵＥからデータを受信することと、データが、第２のＲＡＴを使用する第２の通信リンクを介してサービスされるまたは受信されることを示す構成メッセージをＵＥに送信することと、データのサービスまたは受信を、第１のＲＡＴを使用する第１の通信リンクから、第２のＲＡＴを使用する第２の通信リンクに切り替えるための構成手順を開始することと、を含む。
【０００６】
[0006]本方法は、第１のＲＡＴを使用してサービスされたデータのうちの肯定応答がないデータ（unacknowledged data）を決定することをさらに含む。
【０００７】
[0007]一態様では、本方法は、第２のＲＡＴを使用してサービスされるべき、肯定応答がないデータをフォワーディングすることをさらに含む。
【０００８】
[0008]一態様では、構成メッセージは、データステータス報告と、ＵＥからのデータステータス報告についての要求とを備え得る。
【０００９】
[0009]一態様では、本方法は、少なくとも１つの条件（condition）に基づいて、第２のＲＡＴを使用してデータをサービスすることを決定することをさらに含む。
【００１０】
[0010]一態様では、少なくとも１つの条件は、ＵＥからの構成メッセージについての物理レイヤ肯定応答（a physical layer acknowledgment）の受信、構成メッセージに応答する無線リソース制御（ＲＲＣ：a radio resource control）メッセージの受信を備える。
【００１１】
[0011]一態様では、本方法は、第２のＲＡＴを使用してデータをサービスすることを決定すると、無線リンク制御（ＲＬＣ：a radio link control）レイヤをリセットすることをさらに含む。
【００１２】
[0012]一態様では、本方法は、少なくとも１つのプロトコルレイヤステータス報告をＵＥから受信することをさらに含み、少なくとも１つのプロトコルレイヤステータス報告が、第１のＲＡＴを介してＵＥによって受信されたデータを識別し、ここにおいて、肯定応答がないデータが、少なくとも１つのプロトコルレイヤステータス報告に基づいて決定される。
【００１３】
[0013]一態様では、少なくとも１つのプロトコルレイヤステータス報告は、第１のＲＡＴを介して受信される。
【００１４】
[0014]一態様では、少なくとも１つのプロトコルレイヤステータス報告は、パケット・データ・コンバージェンス・プロトコル（ＰＤＣＰ：a packet data convergence protocol）レイヤステータス報告または無線リンク制御（ＲＬＣ）レイヤステータス報告のうちの少なくとも１つを備える。
【００１５】
[0015]一態様では、本方法は、第１のＲＡＴを使用する第１の通信リンクを介して構成メッセージについてＵＥから肯定応答メッセージを受信することをさらに含み、ここにおいて、少なくとも１つのプロトコルレイヤステータス報告が、肯定応答メッセージと同時に、または肯定応答メッセージ内でＵＥから受信される。
【００１６】
[0016]一態様では、本方法は、構成メッセージについてＵＥから肯定応答を受信することをさらに含み、ここにおいて、肯定応答がないデータが、受信された肯定応答に応答して第２のＲＡＴにフォワーディングされる。
【００１７】
[0017]一態様では、本方法は、構成メッセージについての物理レイヤ肯定応答を検出することをさらに含み、ここにおいて、肯定応答がないデータが、検出された物理レイヤ肯定応答に応答してフォワーディングされる。
【００１８】
[0018]一態様では、本方法は、少なくとも１つのプロトコルレイヤステータス報告をＵＥに送ることをさらに含む。
【００１９】
[0019]一態様では、少なくとも１つのプロトコルレイヤステータス報告は、構成メッセージと同時に、あるいは構成メッセージまたは別のシグナリングメッセージ内でＵＥに送られる。
【００２０】
[0020]一態様では、本方法は、切り替えられているデータベアラ上で少なくとも１つのプロトコルレイヤステータス報告を送ることをさらに含む。
【００２１】
[0021]一態様では、本方法は、切り替えられていない、および、第１のＲＡＴを使用する第１の通信リンク、または第２のＲＡＴを使用する第２の通信リンクのいずれかによってサービスされる、別のデータベアラ上で少なくとも１つのプロトコルレイヤステータス報告を送ることをさらに含む。
【００２２】
[0022]一態様では、少なくとも１つのプロトコルレイヤステータス報告は、第１のＲＡＴまたは第２のＲＡＴを介して送られる。
【００２３】
[0023]一態様では、少なくとも１つのプロトコルレイヤステータス報告は、構成メッセージと同時に、構成メッセージについてのＵＥからの物理レイヤ肯定応答の受信の後に、または構成メッセージについてＵＥから肯定応答メッセージを受信した後に、のいずれかで、第１のＲＡＴを介してＵＥに送られる。
【００２４】
[0024]一態様では、少なくとも１つのプロトコルレイヤステータス報告は、パケットデータコンバージェンスプロトコル（ＰＤＣＰ）レイヤステータス報告または無線リンク制御（ＲＬＣ）レイヤステータス報告のうちの少なくとも１つを備える。
【００２５】
[0025]一態様では、本方法は、アクセスポイント（ＡＰ）からフィードバック情報を受信することをさらに含み、ここにおいて、フィードバック情報が、正常に送信されたデータパケットおよび失敗したデータパケットについてのステータスを示す。
【００２６】
[0026]一態様では、本方法は、第２のＲＡＴを使用する第２の通信リンクを介してサービスされるべきデータのコピーをバッファ中に記憶することをさらに含む。
【００２７】
[0027]一態様では、本方法は、パケットの送信成功のステータスについてＡＰまたはＵＥからフィードバック情報を受信することと、フィードバック情報に基づいて、ＵＥまたはＡＰのバッファ中で待機しているフォワーディングされたデータの量がしきい値を超えるかどうかを決定することと、ＡＰバッファ中のデータの量がしきい値を超えるとき、ＡＰにデータをもはやフォワーディングしないこととをさらに含む。
【００２８】
[0028]一態様では、本方法は、第２のＲＡＴ上の送信エラーによる失敗したパケットの量がしきい値を超えるとき、ＡＰまたはＵＥにデータをもはやフォワーディングしないことをさらに含む。
【００２９】
[0029]一態様では、本方法は、第１のＲＡＴを使用する第１の通信リンク、または第２のＲＡＴを使用する第２の通信リンクを介してＵＥとの間で少なくとも１つのプロトコルレイヤステータス報告を送り、受信することをさらに含む。
【００３０】
[0030]一態様では、少なくとも１つのプロトコルレイヤステータス報告は、少なくとも１つのプロトコルレイヤステータス報告が第２のＲＡＴを介して受信されるとき、ＡＰまたはＵＥを通して受信される。
【００３１】
[0031]一態様では、本方法は、第２のＲＡＴを使用する第２の通信リンク上の送信エラーによる失敗したパケットの量がしきい値を超えるとき、ＡＰまたはＵＥにデータをもはやフォワーディングしないことをさらに含む。
【００３２】
[0032]一態様では、本方法は、第１のＲＡＴを使用する第１の通信リンクを介して、ネットワークからサービスされたデータを受信すること、またはネットワークにデータを送信することと、データが、第２のＲＡＴを使用する第２の通信リンクを介してネットワークからサービスされるか、またはネットワークに送信される、ことを示す構成メッセージをネットワークから受信することと、第２のＲＡＴを使用する第２の通信リンクを介して、ネットワークからサービスされたデータを受信するために、またはネットワークにデータを送信するために、受信された構成メッセージに基づいて、少なくとも１つのプロトコルレイヤを構成することと、第２のＲＡＴを使用する第２の通信リンクを介して、ネットワークからサービスされたデータを受信すること、またはネットワークにデータを送信することとをさらに含む。
【００３３】
[0033]一態様では、構成メッセージは、データステータス報告またはデータステータス報告についての要求のうちの少なくとも１つを備える。
【００３４】
[0034]一態様では、本方法は、構成メッセージについての物理レイヤ肯定応答、または構成メッセージに応答する無線リソース制御（ＲＲＣ）メッセージのうちの少なくとも１つを送信することをさらに含む。
【００３５】
[0035]一態様では、本方法は、物理レイヤ肯定応答を送信すると、タイマーを始動させることと、タイマーの満了まで、少なくとも１つのプロトコルレイヤステータス報告を受信することを待つことと、タイマーの満了時に、１つまたは複数のプロトコルレイヤをリセットすることとをさらに含む。
【００３６】
[0036]一態様では、本方法は、少なくとも１つのプロトコルレイヤを構成した後、第２のＲＡＴを使用する第２の通信リンクを介して受信されたデータを記憶するためのバッファをクリアすることをさらに含む。
【００３７】
[0037]一態様では、本方法は、少なくとも１つのプロトコルレイヤステータス報告をネットワークに送信することをさらに含み、少なくとも１つのプロトコルレイヤステータス報告が、第１のＲＡＴまたは第２のＲＡＴを介してＵＥによって受信されたデータを識別する。
【００３８】
[0038]一態様では、本方法は、構成肯定応答メッセージまたは別のシグナリングメッセージ上で少なくとも１つのプロトコルレイヤステータス報告を送ることをさらに含む。
【００３９】
[0039]一態様では、本方法は、切り替えられているデータベアラ上で少なくとも１つのプロトコルレイヤステータス報告を送ることをさらに含む。
【００４０】
[0040]一態様では、本方法は、切り替えられていない、および、第１のＲＡＴを使用する第１の通信リンク、または第２のＲＡＴを使用する第２の通信リンクのいずれかによってサービスされる、別のデータベアラ上で少なくとも１つのプロトコルレイヤステータス報告を送ることをさらに含む。
【００４１】
[0041]一態様では、少なくとも１つのプロトコルレイヤステータス報告は、第１のＲＡＴを使用する第１の通信リンクを介して送信される。
【００４２】
[0042]一態様では、少なくとも１つのプロトコルレイヤステータス報告は、パケットデータコンバージェンスプロトコル（ＰＤＣＰ）レイヤステータス報告または無線リンク制御（ＲＬＣ）レイヤステータス報告のうちの少なくとも１つを備える。
【００４３】
[0043]一態様では、本方法は、第１のＲＡＴを使用する第１の通信リンクを介して、少なくとも１つのプロトコルレイヤステータス報告と同時に、受信された構成メッセージについてネットワークに肯定応答メッセージを送信すること、または第１のＲＡＴを使用する第１の通信リンクを介して、受信された構成メッセージについてネットワークに少なくとも１つのプロトコルレイヤステータス報告を含む肯定応答メッセージを送信すること、をさらに含む。
【００４４】
[0044]一態様では、本方法は、少なくとも１つのプロトコルレイヤステータス報告を受信することをさらに含む。
【００４５】
[0045]一態様では、少なくとも１つのプロトコルレイヤステータス報告は、構成メッセージと同時に、または構成メッセージ内で受信される。
【００４６】
[0046]一態様では、少なくとも１つのプロトコルレイヤステータス報告は、第１のＲＡＴまたは第２のＲＡＴを介して受信される。
【００４７】
[0047]一態様では、少なくとも１つのプロトコルレイヤステータス報告は、構成メッセージと同時に、構成メッセージについてのネットワークへの物理レイヤ肯定応答の送信の後に、または構成メッセージについてのネットワークへの肯定応答メッセージの送信の後に、のいずれかで、第１のＲＡＴを介して受信される。
【００４８】
[0048]一態様では、少なくとも１つのプロトコルレイヤステータス報告は、パケットデータコンバージェンスプロトコル（ＰＤＣＰ）レイヤステータス報告または無線リンク制御（ＲＬＣ）レイヤステータス報告のうちの少なくとも１つを備える。
【００４９】
[0049]一態様では、本方法は、第２の通信リンクを使用してＡＰを通してネットワークにフィードバック情報を送信することをさらに含み、ここにおいて、フィードバック情報が、正常に送信されたデータパケットおよび失敗したデータパケットについてのステータスを示す。
【００５０】
[0050]一態様では、本方法は、パケットの送信成功のステータスについてネットワークにフィードバック情報を送信することをさらに含む。
【００５１】
[0051]一態様では、本方法は、第１のＲＡＴを使用する第１の通信リンク、または第２のＲＡＴを使用する第２の通信リンクを介してネットワークとの間で少なくとも１つのプロトコルレイヤステータス報告を送り、受信することをさらに含む。
【００５２】
[0052]一態様では、少なくとも１つのプロトコルレイヤステータス報告は、少なくとも１つのプロトコルレイヤステータス報告が第２のＲＡＴを使用する第２の通信リンクを介して送られるとき、ＡＰを通してネットワークに送られる。
【００５３】
[0053]一態様では、装置によって実行される方法は、第１のＲＡＴを使用する第１の通信リンクを介して、ネットワークによってフォワーディングされたデータをＵＥにサービスすることと、データが、第２のＲＡＴを使用する第２の通信リンクを介してＵＥにサービスされることを示すメッセージをネットワークから受信することと、メッセージを受信すると、第１のＲＡＴを使用する第１の通信リンクを介してＵＥにデータをもはやサービスしないこととを含む。
【００５４】
[0054]一態様では、本方法は、メッセージを受信すると、バッファ中に記憶された肯定応答がないデータをドロップすることをさらに含む。
【００５５】
[0055]一態様では、本方法は、第１のＲＡＴ上の送信エラーによる失敗したデータの量がしきい値を超えるとき、ネットワークによってフォワーディングされたデータをＵＥにもはやサービスしないことをさらに含む。
【００５６】
[0056]一態様では、本方法は、第１のＲＡＴを使用する第１の通信リンクを介してＵＥから少なくとも１つのプロトコルレイヤステータス報告を受信することと、少なくとも１つのプロトコルレイヤステータス報告をネットワークに送ることとをさらに含む。
【００５７】
[0057]一態様では、ワイヤレス通信のための装置は、第１のＲＡＴを使用する第１の通信リンクを介してＵＥにデータをサービスするか、またはＵＥからデータを受信する、ための手段と、データが、第２のＲＡＴを使用する第２の通信リンクを介してサービスされるまたは受信されることを示す構成メッセージをＵＥに送信するための手段と、データのサービスまたは受信を、第１のＲＡＴを使用する第１の通信リンクから、第２のＲＡＴを使用する第２の通信リンクに切り替えるための構成手順を開始するための手段とを含む。
【００５８】
[0058]一態様では、本装置は、第１のＲＡＴを使用してサービスされたデータのうちの肯定応答がないデータを決定するための手段をさらに含む。
【００５９】
[0059]一態様では、本装置は、第２のＲＡＴを使用してサービスされるべき、肯定応答がないデータをフォワーディングするための手段をさらに含む。
【００６０】
[0060]一態様では、構成メッセージは、データステータス報告と、ＵＥからのデータステータス報告についての要求とを備え得る。
【００６１】
[0061]一態様では、本装置は、少なくとも１つの条件に基づいて、第２のＲＡＴを使用してデータをサービスすることを決定するための手段をさらに含む。
【００６２】
[0062]一態様では、少なくとも１つの条件は、ＵＥからの構成メッセージについての物理レイヤ肯定応答の受信、構成メッセージに応答する無線リソース制御（ＲＲＣ）メッセージの受信を備える。
【００６３】
[0063]一態様では、本装置は、第２のＲＡＴを使用してデータをサービスすることを決定すると、無線リンク制御（ＲＬＣ）レイヤをリセットするための手段をさらに含む。
【００６４】
[0064]一態様では、本装置は、少なくとも１つのプロトコルレイヤステータス報告をＵＥから受信するための手段をさらに含み、少なくとも１つのプロトコルレイヤステータス報告が、第１のＲＡＴを介してＵＥによって受信されたデータを識別し、ここにおいて、肯定応答がないデータが、少なくとも１つのプロトコルレイヤステータス報告に基づいて決定される。
【００６５】
[0065]一態様では、少なくとも１つのプロトコルレイヤステータス報告は、第１のＲＡＴを介して受信される。
【００６６】
[0066]一態様では、少なくとも１つのプロトコルレイヤステータス報告は、パケットデータコンバージェンスプロトコル（ＰＤＣＰ）レイヤステータス報告または無線リンク制御（ＲＬＣ）レイヤステータス報告のうちの少なくとも１つを備える。
【００６７】
[0067]一態様では、本装置は、第１のＲＡＴを使用する第１の通信リンクを介して構成メッセージについてＵＥから肯定応答メッセージを受信するための手段をさらに含み、ここにおいて、少なくとも１つのプロトコルレイヤステータス報告が、肯定応答メッセージと同時に、または肯定応答メッセージ内でＵＥから受信される。
【００６８】
[0068]一態様では、本装置は、構成メッセージについてＵＥから肯定応答を受信するための手段をさらに含み、ここにおいて、肯定応答がないデータが、受信された肯定応答に応答して第２のＲＡＴにフォワーディングされる。
【００６９】
[0069]一態様では、本装置は、構成メッセージについての物理レイヤ肯定応答を検出するための手段をさらに含み、ここにおいて、肯定応答がないデータが、検出された物理レイヤ肯定応答に応答してフォワーディングされる。
【００７０】
[0070]一態様では、本装置は、少なくとも１つのプロトコルレイヤステータス報告をＵＥに送るための手段をさらに含む。
【００７１】
[0071]一態様では、少なくとも１つのプロトコルレイヤステータス報告は、構成メッセージと同時に、あるいは構成メッセージまたは別のシグナリングメッセージ内でＵＥに送られる。
【００７２】
[0072]一態様では、本装置は、切り替えられているデータベアラ上で少なくとも１つのプロトコルレイヤステータス報告を送るための手段をさらに含む。
【００７３】
[0073]一態様では、本装置は、切り替えられていない、および、第１のＲＡＴを使用する第１の通信リンク、または第２のＲＡＴを使用する第２の通信リンクのいずれかによってサービスされる、別のデータベアラ上で少なくとも１つのプロトコルレイヤステータス報告を送るための手段をさらに含む。
【００７４】
[0074]一態様では、少なくとも１つのプロトコルレイヤステータス報告は、第１のＲＡＴまたは第２のＲＡＴを介して送られる。
【００７５】
[0075]一態様では、少なくとも１つのプロトコルレイヤステータス報告は、構成メッセージと同時に、構成メッセージについてのＵＥからの物理レイヤ肯定応答の受信の後に、または構成メッセージについてＵＥから肯定応答メッセージを受信した後に、のいずれかで、第１のＲＡＴを介してＵＥに送られる。
【００７６】
[0076]一態様では、少なくとも１つのプロトコルレイヤステータス報告は、パケットデータコンバージェンスプロトコル（ＰＤＣＰ）レイヤステータス報告または無線リンク制御（ＲＬＣ）レイヤステータス報告のうちの少なくとも１つを備える。
【００７７】
[0077]一態様では、本装置は、ＡＰからフィードバック情報を受信するための手段をさらに含み、ここにおいて、フィードバック情報が、正常に送信されたデータパケットおよび失敗したデータパケットについてのステータスを示す。
【００７８】
[0078]一態様では、本装置は、第２のＲＡＴを使用する第２の通信リンクを介してサービスされるべきデータのコピーをバッファ中に記憶するための手段をさらに含む。
【００７９】
[0079]一態様では、本装置は、パケットの送信成功のステータスについてＡＰまたはＵＥからフィードバック情報を受信するための手段と、フィードバック情報に基づいて、ＵＥまたはＡＰのバッファ中で待機しているフォワーディングされたデータの量がしきい値を超えるかどうかを決定するための手段と、ＡＰバッファ中のデータの量がしきい値を超えるとき、ＡＰにデータをもはやフォワーディングしないための手段とをさらに含む。
【００８０】
[0080]一態様では、本装置は、第２のＲＡＴ上の送信エラーによる失敗したパケットの量がしきい値を超えるとき、ＡＰまたはＵＥにデータをもはやフォワーディングしないための手段をさらに含む。
【００８１】
[0081]一態様では、本装置は、第１のＲＡＴを使用する第１の通信リンク、または第２のＲＡＴを使用する第２の通信リンクを介してＵＥとの間で少なくとも１つのプロトコルレイヤステータス報告を送り、受信するための手段をさらに含む。
【００８２】
[0082]一態様では、少なくとも１つのプロトコルレイヤステータス報告は、少なくとも１つのプロトコルレイヤステータス報告が第２のＲＡＴを介して受信されるとき、ＡＰまたはＵＥを通して受信される。
【００８３】
[0083]一態様では、本装置は、第２のＲＡＴを使用する第２の通信リンク上の送信エラーによる失敗したパケットの量がしきい値を超えるとき、ＡＰまたはＵＥにデータをもはやフォワーディングしないための手段をさらに含む。
【００８４】
[0084]一態様では、ワイヤレス通信のための装置は、第１のＲＡＴを使用する第１の通信リンクを介して、ネットワークからサービスされたデータを受信するか、またはネットワークにデータを送信する、ための手段と、データが、第２のＲＡＴを使用する第２の通信リンクを介してネットワークからサービスされるか、またはネットワークに送信される、ことを示す構成メッセージをネットワークから受信するための手段と、第２のＲＡＴを使用する第２の通信リンクを介して、ネットワークからサービスされたデータを受信するために、またはネットワークにデータを送信するために、受信された構成メッセージに基づいて、少なくとも１つのプロトコルレイヤを構成するための手段と、第２のＲＡＴを使用する第２の通信リンクを介して、ネットワークからサービスされたデータを受信するか、またはネットワークにデータを送信する、ための手段とを含む。
【００８５】
[0085]一態様では、構成メッセージは、データステータス報告またはデータステータス報告についての要求のうちの少なくとも１つを備える。
【００８６】
[0086]一態様では、本装置は、構成メッセージについての物理レイヤ肯定応答、または構成メッセージに応答する無線リソース制御（ＲＲＣ）メッセージのうちの少なくとも１つを送信するための手段をさらに含む。
【００８７】
[0087]一態様では、本装置は、物理レイヤ肯定応答を送信すると、タイマーを始動させるための手段と、タイマーの満了まで、少なくとも１つのプロトコルレイヤステータス報告を受信することを待つための手段と、タイマーの満了時に、１つまたは複数のプロトコルレイヤをリセットするための手段とをさらに含む。
【００８８】
[0088]一態様では、本装置は、少なくとも１つのプロトコルレイヤを構成した後、第２のＲＡＴを使用する第２の通信リンクを介して受信されたデータを記憶するためのバッファをクリアするための手段をさらに含む。
【００８９】
[0089]一態様では、本装置は、少なくとも１つのプロトコルレイヤステータス報告をネットワークに送信するための手段をさらに含み、少なくとも１つのプロトコルレイヤステータス報告が、第１のＲＡＴまたは第２のＲＡＴを介してＵＥによって受信されたデータを識別する。
【００９０】
[0090]一態様では、本装置は、構成肯定応答メッセージまたは別のシグナリングメッセージ上で少なくとも１つのプロトコルレイヤステータス報告を送るための手段をさらに含む。
【００９１】
[0091]一態様では、本装置は、切り替えられているデータベアラ上で少なくとも１つのプロトコルレイヤステータス報告を送るための手段をさらに含む。
【００９２】
[0092]一態様では、本装置は、切り替えられていない、および、第１のＲＡＴを使用する第１の通信リンク、または第２のＲＡＴを使用する第２の通信リンクのいずれかによってサービスされる、別のデータベアラ上で少なくとも１つのプロトコルレイヤステータス報告を送るための手段をさらに含む。
【００９３】
[0093]一態様では、少なくとも１つのプロトコルレイヤステータス報告は、第１のＲＡＴを使用する第１の通信リンクを介して送信される。
【００９４】
[0094]一態様では、少なくとも１つのプロトコルレイヤステータス報告は、パケットデータコンバージェンスプロトコル（ＰＤＣＰ）レイヤステータス報告または無線リンク制御（ＲＬＣ）レイヤステータス報告のうちの少なくとも１つを備える。
【００９５】
[0095]一態様では、本装置は、第１のＲＡＴを使用する第１の通信リンクを介して、少なくとも１つのプロトコルレイヤステータス報告と同時に、受信された構成メッセージについてネットワークに肯定応答メッセージを送信するための手段、または第１のＲＡＴを使用する第１の通信リンクを介して、受信された構成メッセージについてネットワークに少なくとも１つのプロトコルレイヤステータス報告を含む肯定応答メッセージを送信するための手段をさらに含む。
【００９６】
[0096]一態様では、本装置は、少なくとも１つのプロトコルレイヤステータス報告を受信するための手段をさらに含む。
【００９７】
[0097]一態様では、少なくとも１つのプロトコルレイヤステータス報告は、構成メッセージと同時に、または構成メッセージ内で受信される。
【００９８】
[0098]一態様では、少なくとも１つのプロトコルレイヤステータス報告は、第１のＲＡＴまたは第２のＲＡＴを介して受信される。
【００９９】
[0099]一態様では、少なくとも１つのプロトコルレイヤステータス報告は、構成メッセージと同時に、構成メッセージについてのネットワークへの物理レイヤ肯定応答の送信の後に、または構成メッセージについてのネットワークへの肯定応答メッセージの送信の後に、のいずれかで、第１のＲＡＴを介して受信される。
【０１００】
[00100]一態様では、少なくとも１つのプロトコルレイヤステータス報告は、パケットデータコンバージェンスプロトコル（ＰＤＣＰ）レイヤステータス報告または無線リンク制御（ＲＬＣ）レイヤステータス報告のうちの少なくとも１つを備える。
【０１０１】
[00101]一態様では、本装置は、第２の通信リンクを使用してＡＰを通してネットワークにフィードバック情報を送信するための手段をさらに含み、ここにおいて、フィードバック情報が、正常に送信されたデータパケットおよび失敗したデータパケットについてのステータスを示す。
【０１０２】
[00102]一態様では、本装置は、パケットの送信成功のステータスについてネットワークにフィードバック情報を送信するための手段をさらに含む。
【０１０３】
[00103]一態様では、本装置は、第１のＲＡＴを使用する第１の通信リンク、または第２のＲＡＴを使用する第２の通信リンクを介してネットワークとの間で少なくとも１つのプロトコルレイヤステータス報告を送り、受信するための手段をさらに含む。
【０１０４】
[00104]一態様では、少なくとも１つのプロトコルレイヤステータス報告は、少なくとも１つのプロトコルレイヤステータス報告が第２のＲＡＴを使用する第２の通信リンクを介して送られるとき、ＡＰを通してネットワークに送られる。
【０１０５】
[00105]一態様では、ワイヤレス通信のための装置は、第１のＲＡＴを使用する第１の通信リンクを介して、ネットワークによってフォワーディングされたデータをＵＥにサービスするための手段と、データが、第２のＲＡＴを使用する第２の通信リンクを介してＵＥにサービスされることを示すメッセージをネットワークから受信するための手段と、メッセージを受信すると、第１のＲＡＴを使用する第１の通信リンクを介してＵＥにデータをもはやサービスしないための手段とを含む。
【０１０６】
[00106]一態様では、本装置は、メッセージを受信すると、バッファ中に記憶された肯定応答がないデータをドロップするための手段をさらに含む。
【０１０７】
[00107]一態様では、本装置は、第１のＲＡＴ上の送信エラーによる失敗したデータの量がしきい値を超えるとき、ネットワークによってフォワーディングされたデータをＵＥにもはやサービスしないための手段をさらに含む。
【０１０８】
[00108]一態様では、本装置は、第１のＲＡＴを使用する第１の通信リンクを介してＵＥから少なくとも１つのプロトコルレイヤステータス報告を受信するための手段と、少なくとも１つのプロトコルレイヤステータス報告をネットワークに送るための手段とをさらに含む。
【０１０９】
[00109]一態様では、ワイヤレス通信のための装置は、メモリと、メモリに結合された少なくとも１つのプロセッサとを含む。少なくとも１つのプロセッサは、第１のＲＡＴを使用する第１の通信リンクを介してＵＥにデータをサービスすること、またはＵＥからデータを受信することと、データが、第２のＲＡＴを使用する第２の通信リンクを介してサービスされるまたは受信されることを示す構成メッセージをＵＥに送信することと、データのサービスまたは受信を、第１のＲＡＴを使用する第１の通信リンクから、第２のＲＡＴを使用する第２の通信リンクに切り替えるための構成手順を開始することと、を行うように構成される。
【０１１０】
[00110]一態様では、ワイヤレス通信のための装置は、メモリと、メモリに結合された少なくとも１つのプロセッサとを含む。少なくとも１つのプロセッサは、第１のＲＡＴを使用する第１の通信リンクを介して、ネットワークからサービスされたデータを受信すること、またはネットワークにデータを送信することと、データが、第２のＲＡＴを使用する第２の通信リンクを介してネットワークからサービスされるか、またはネットワークに送信される、ことを示す構成メッセージをネットワークから受信することと、第２のＲＡＴを使用する第２の通信リンクを介して、ネットワークからサービスされたデータを受信するために、またはネットワークにデータを送信するために、受信された構成メッセージに基づいて、少なくとも１つのプロトコルレイヤを構成することと、第２のＲＡＴを使用する第２の通信リンクを介して、ネットワークからサービスされたデータを受信すること、またはネットワークにデータを送信することと、を行うように構成される。
【０１１１】
[00111]一態様では、ワイヤレス通信のための装置は、メモリと、メモリに結合された少なくとも１つのプロセッサとを含む。少なくとも１つのプロセッサは、第１のＲＡＴを使用する第１の通信リンクを介して、ネットワークによってフォワーディングされたデータをＵＥにサービスすることと、データが、第２のＲＡＴを使用する第２の通信リンクを介してＵＥにサービスされることを示すメッセージをネットワークから受信することと、メッセージを受信すると、第１のＲＡＴを使用する第１の通信リンクを介してＵＥにデータをもはやサービスしないことと、を行うように構成される。
【０１１２】
[00112]一態様では、コンピュータプログラム製品は、第１のＲＡＴを使用する第１の通信リンクを介してＵＥにデータをサービスすること、またはＵＥからデータを受信することと、データが、第２のＲＡＴを使用する第２の通信リンクを介してサービスされるまたは受信されることを示す構成メッセージをＵＥに送信することと、データのサービスまたは受信を、第１のＲＡＴを使用する第１の通信リンクから、第２のＲＡＴを使用する第２の通信リンクに切り替えるための構成手順を開始することと、を行うためのコードを含むコンピュータ可読媒体を含む。
【０１１３】
[00113]一態様では、コンピュータプログラム製品は、第１のＲＡＴを使用する第１の通信リンクを介して、ネットワークからサービスされたデータを受信すること、またはネットワークにデータを送信することと、データが、第２のＲＡＴを使用する第２の通信リンクを介してネットワークからサービスされるか、またはネットワークに送信される、ことを示す構成メッセージをネットワークから受信することと、第２のＲＡＴを使用する第２の通信リンクを介して、ネットワークからサービスされたデータを受信するために、またはネットワークにデータを送信するために、受信された構成メッセージに基づいて、少なくとも１つのプロトコルレイヤを構成することと、第２のＲＡＴを使用する第２の通信リンクを介して、ネットワークからサービスされたデータを受信すること、またはネットワークにデータを送信することと、を行うためのコードを含むコンピュータ可読媒体を含む。
【０１１４】
[00114]一態様では、コンピュータプログラム製品は、第１のＲＡＴを使用する第１の通信リンクを介して、ネットワークによってフォワーディングされたデータをＵＥにサービスすることと、データが、第２のＲＡＴを使用する第２の通信リンクを介してＵＥにサービスされることを示すメッセージをネットワークから受信することと、メッセージを受信すると、第１のＲＡＴを使用する第１の通信リンクを介してＵＥにデータをもはやサービスしないことと、を行うためのコードを含むコンピュータ可読媒体を含む。
【０１１５】
[00015]本開示の様々な態様および特徴について、添付の図面において示されるように、それの様々な例を参照しながら以下でさらに詳細に説明する。本開示について様々な例を参照しながら以下で説明するが、本開示はそれに制限されないことを理解されたい。本明細書の教示へのアクセスを有する当業者は、追加の実装形態、変更形態、および例、ならびに本明細書で説明する本開示の範囲内に入り、それに関して本開示が著しく有用であり得る他の使用分野を認識されよう。
【図面の簡単な説明】
【０１１６】
【図１】[00116]本開示の様々な態様による、ネットワークアーキテクチャの一例を示す図。
【図２】[00117]本開示の様々な態様による、アクセスネットワークの一例を示す図。
【図３】[00118]本開示の様々な態様による、ＬＴＥにおけるＤＬフレーム構造の一例を示す図。
【図４】[00119]本開示の様々な態様による、ＬＴＥにおけるＵＬフレーム構造の一例を示す図。
【図５】[00120]本開示の様々な態様による、ユーザおよび制御プレーンのための無線プロトコルアーキテクチャの一例を示す図。
【図６】[00121]本開示の様々な態様による、アクセスネットワーク中の発展型ノードＢおよびユーザ機器の一例を示す図。
【図７Ａ】[00122]本開示の様々な態様による、本開示の一態様による、ＵＥとＰＤＮとの間のデータ経路の一例を概念的に示すブロック図。
【図７Ｂ】[00123]本開示の様々な態様による、本開示の一態様による、ＵＥとＰＤＮとの間のデータ経路の別の例を概念的に示すブロック図。
【図８】[00124]本開示の一態様による、ＵＥと、ｅＮＢと、アクセスポイント（ＡＰ）との間のメッセージフローを示す図。
【図９】[00125]本開示の一態様による、ＵＥと、ｅＮＢと、ＡＰとの間のメッセージフローを示す図。
【図１０Ａ】[00126]本開示の一態様による、ワイヤレス通信の方法のフローチャート。
【図１０Ｂ】本開示の一態様による、ワイヤレス通信の方法のフローチャート。
【図１１】[00127]本開示の様々な態様による、異なるモジュール／手段／構成要素間のデータフローを示す概念データフロー図。
【図１２】[00128]本開示の様々な態様による、処理システムを採用する装置のためのハードウェア実装形態の一例を示す図。
【図１３Ａ】[00129]本開示の一態様による、ワイヤレス通信の方法のフローチャート。
【図１３Ｂ】本開示の一態様による、ワイヤレス通信の方法のフローチャート。
【図１４】[00130]本開示の様々な態様による、異なるモジュール／手段／構成要素間のデータフローを示す概念データフロー図。
【図１５】[00131]本開示の様々な態様による、処理システムを採用する装置のためのハードウェア実装形態の一例を示す図。
【図１６】[00132]本開示の一態様による、ワイヤレス通信の方法のフローチャート。
【図１７】[00133]本開示の様々な態様による、異なるモジュール／手段／構成要素間のデータフローを示す概念データフロー図。
【図１８】[00134]本開示の様々な態様による、処理システムを採用する装置のためのハードウェア実装形態の一例を示す図。
【詳細な説明】
【０１１７】
[00135]添付の図面に関して以下に記載する詳細な説明は、様々な構成を説明するものであり、本明細書で説明する概念が実施され得る構成のみを表すものではない。詳細な説明は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【０１１８】
[00136]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【０１１９】
[00137]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、手順、関数などを意味すると広く解釈されたい。
【０１２０】
[00138]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【０１２１】
[00139]図１は、本開示の様々な態様による、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳ１００は他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【０１２２】
[00140]Ｅ−ＵＴＲＡＮ１０４は、発展型ノードＢ（ｅＮＢ）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディア・ブロードキャスト・マルチキャスト・サービス（ＭＢＭＳ：Multimedia Broadcast Multicast Service）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティ、またはｅＮＢ１０６の一部であり得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２に対してＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、局（ＳＴＡ）、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【０１２３】
[00141]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ）１２０と、他のＭＭＥ１１４と、サービングゲートウェイ１１６と、マルチメディア・ブロードキャスト・マルチキャスト・サービス（ＭＢＭＳ）ゲートウェイ１２４と、ブロードキャスト・マルチキャスト・サービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディア・サブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービス・プロビジョニングおよび配信（MBMS user service provisioning and delivery）のための機能を与え得る。ＢＭ−ＳＣ１２６は、コンテンツプロバイダＭＢＭＳ送信（content provider MBMS transmission）のためのエントリポイントとして働き得、ＰＬＭＮ内のＭＢＭＳベアラサービスを許可し（authorize）、開始するために使用され得、ＭＢＭＳ送信をスケジュールし、配信するために使用され得る。ＭＢＭＳゲートウェイ１２４は、特定のサービスをブロードキャストするマルチキャスト・ブロードキャスト単一周波数ネットワーク（ＭＢＳＦＮ：a Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【０１２４】
[00142]図２は、本開示の様々な態様による、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６に対してＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢ、および／または特定のカバレージエリアをサービスするｅＮＢサブシステムの最小カバレージエリアを指すことができる。さらに、「ｅＮＢ」、「基地局」、および「セル」という用語は、本明細書では互換的に使用され得る。
【０１２５】
[00143]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、ＣＤＭＡを採用して移動局に対してブロードバンド・インターネットアクセスを提供する。これらの概念はまた、広帯域ＣＤＭＡ（Ｗ−ＣＤＭＡ（登録商標））と、ＴＤ−ＳＣＤＭＡなどのＣＤＭＡの他の変形態とを採用するユニバーサル地上無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【０１２６】
[00144]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【０１２７】
[00145]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【０１２８】
[00146]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリア上でデータを変調するスペクトル拡散（spread-spectrum）技法である。サブキャリアは正確な周波数で離間される。離間は、受信機がサブキャリアからデータを復元することを可能にする「直交性」を与える。時間領域では、ＯＦＤＭシンボル間干渉（inter-OFDM-symbol interference）に対抗する（combat）ために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【０１２９】
[00147]図３は、本開示の様々な態様による、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のうちのいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【０１３０】
[00148]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【０１３１】
[00149]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数にわたってホッピングし得る。
【０１３２】
[00150]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【０１３３】
[00151]図５は、本開示の様々な態様による、ＬＴＥにおけるユーザおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３とともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６上でＵＥとｅＮＢとの間のリンクを担当する。
【０１３４】
[00152]ユーザプレーンでは、Ｌ２レイヤ５０８は、ネットワーク側上のｅＮＢにおいて終端される、メディアアクセス制御（ＭＡＣ：media access control）サブレイヤ５１０と、無線リンク制御（ＲＬＣ：radio link control）サブレイヤ５１２と、パケットデータ・コンバージェンス・プロトコル（ＰＤＣＰ：packet data convergence protocol）５１４サブレイヤとを含む。図示されていないが、ＵＥは、ネットワーク側上のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【０１３５】
[00153]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補償するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【０１３６】
[00154]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【０１３７】
[00155]図６は、本開示の様々な態様による、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、ヘッダ圧縮と、暗号化と、パケットのセグメント化および並べ替えと、論理チャネルとトランスポートチャネルとの間の多重化と、様々な優先度メトリックに基づいたＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【０１３８】
[00156]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）を容易にするための、コーディングとインターリービングと、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを含む。コーディングされ、変調されたシンボルは、次いで、並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに組み合わされる。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられ得る。各送信機６１８ＴＸは、送信のためにそれぞれの空間ストリームでＲＦキャリアを変調し得る。
【０１３９】
[00157]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに組み合わされ得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信された、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【０１４０】
[00158]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離（demultiplexing）と、パケットリアセンブリと、解読（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【０１４１】
[00159]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【０１４２】
[00160]ｅＮＢ６１０によって送信される基準信号またはフィードバックからの、チャネル推定器６５８によって導出されるチャネル推定値は、適切なコーディングおよび変調方式を選択することと、空間処理を容易にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【０１４３】
[00161]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【０１４４】
[00162]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【０１４５】
[00163]図７Ａは、本開示の一態様による、ＵＥ７１５とＰＤＮ７４０（たとえば、インターネット）との間のデータ経路７４５および７５０の一例を示すワイヤレス通信システム７００−ａの図である。一態様では、データ経路７４５および７５０は、ＷＷＡＮ（たとえば、ＬＴＥネットワーク）およびＷＬＡＮ（たとえば、ＷｉＦｉ（登録商標）ネットワーク）無線アクセス技術（ＲＡＴ）からのデータのアグリゲーションを可能にするように構成される。図７Ａに示されているように、ワイヤレス通信システム７００−ａは、（マルチモードＵＥ７１５とも呼ばれる）ＵＥ７１５と、ｅＮＢ７０５−ａと、ＷＬＡＮ  ＡＰ７０５−ｂと、発展型パケットコア（ＥＰＣ）７８０と、ＰＤＮ７４０と、ピアエンティティ７５５とを含み得る。ＥＰＣ７８０は、モビリティ管理エンティティ（ＭＭＥ：mobility management entity）７３０と、サービングゲートウェイ（ＳＧＷ）７３２と、ＰＤＮゲートウェイ（ＰＧＷ）７３４とを含み得る。ホーム加入者システム（ＨＳＳ：home subscriber system）７３５は、ＭＭＥ７３０に通信可能に結合され得る。ＵＥ７１５は、ＬＴＥ無線機７２０（an LTE radio 720）とＷＬＡＮ無線機７２５（a WLAN radio 725）とを含み得る。
【０１４６】
[00164]ｅＮＢ７０５−ａおよびＷＬＡＮ  ＡＰ７０５−ｂは、コロケートされるか、またはさもなければ、接続７５６を介して互いに（たとえば、ファイバー接続を介して）高速通信していることがある。図７Ａの構成では、ＵＥ７１５とＷＬＡＮ  ＡＰ７０５−ｂとの間のＥＰＳベアラ関係データは、ｅＮＢ７０５−ａを通してＥＰＣ７８０にルーティングされ得る。このようにして、すべてのＥＰＳベアラ関係データは、ｅＮＢ７０５−ａと、ＥＰＣ７８０と、ＰＤＮ７４０と、ピアエンティティ７５５との間で同じ経路に沿ってフォワーディングされ得る。
【０１４７】
[00165]図７Ａに示されているように、ｅＮＢ７０５−ａおよびＷＬＡＮ  ＡＰ７０５−ｂは、１つまたは複数のＬＴＥコンポーネントキャリアあるいは１つまたは複数のＷＬＡＮコンポーネントキャリアのアグリゲーションを使用して、ＵＥ７１５にＰＤＮ７４０へのアクセスを与えることが可能であり得る。ＰＤＮ７４０へのこのアクセスを使用して、ＵＥ７１５はピアエンティティ７５５と通信し得る。
【０１４８】
[00166]ＭＭＥ７３０は、ＵＥ７１５とＥＰＣ７８０との間のシグナリングを処理する制御ノードであり得る。概して、ＭＭＥ７３０はベアラおよび接続管理を行い得る。ＭＭＥ７３０は、したがって、ＵＥ７１５のためにアイドルモードＵＥトラッキングおよびページング（idle mode UE tracking and paging）と、ベアラアクティブ化および非アクティブ化と、ＳＧＷ選択とを担当し得る。ＭＭＥ７３０は、Ｓ１−ＭＭＥインターフェースを介してｅＮＢ７０５−ａと通信し得る。ＭＭＥ７３０は、ＵＥ７１５をさらに認証し、ＵＥ７１５との非アクセス層（ＮＡＳ：Non-Access Stratum）シグナリングを実装し得る。
【０１４９】
[00167]ＨＳＳ７３５は、数ある機能の中でも、加入者データを記憶し、ローミング制限を管理し、加入者のためのアクセス可能アクセスポイント名（ＡＰＮ：access point name）を管理し、加入者をＭＭＥ７３０に関連付け得る。ＨＳＳ７３５は、３ＧＰＰ団体によって規格化された発展型パケットシステム（ＥＰＳ）アーキテクチャによって定義されたＳ６ａインターフェースを介してＭＭＥ７３０と通信し得る。
【０１５０】
[00168]図７Ａに示されているように、ＳＧＷ７３２は、Ｓ１１シグナリングインターフェースを介してＭＭＥ７３０に接続され得、Ｓ５シグナリングインターフェースを介してＰＤＮゲートウェイ７３４に接続され得る。ＬＴＥを介して送信されるすべてのユーザＩＰパケットは、ｅＮＢ７０５−ａを通してＳＧＷ７３２〜ＭＭＥ７３０に転送され得る。ＳＧＷ７３２は、ユーザプレーン中に常駐し、ｅＮＢ間ハンドオーバと、異なるアクセス技術間のハンドオーバとのためのモビリティアンカーとして働き得る。ＰＤＮゲートウェイ７３４はＵＥのＩＰアドレス割振りならびに他の機能を与え得る。
【０１５１】
[00169]ＰＤＮゲートウェイ７３４は、ＳＧｉシグナリングインターフェースを介して、ＰＤＮ７４０など、１つまたは複数の外部パケットデータネットワークへの接続性を与え得る。ＰＤＮ７４０は、インターネット、イントラネット、ＩＰマルチメディア・サブシステム（ＩＭＳ：IP Multimedia Subsystem）、パケット交換（ＰＳ：Packet-Switched）ストリーミングサービス（ＰＳＳ：PS Streaming Service）、および／または他のタイプのＰＤＮを含み得る。
【０１５２】
[00170]本例では、ＵＥ７１５とＥＰＣ７８０との間のユーザプレーンデータは、トラフィックがＬＴＥリンクのデータ経路７４５を介して流れるのか、ＷＬＡＮリンクのデータ経路７５０を介して流れるのかにかかわらず、１つまたは複数のＥＰＳベアラの同じセットを横断し得る。１つまたは複数のＥＰＳベアラのセットに関係するシグナリングまたは制御プレーンデータは、ｅＮＢ７０５−ａを経由して、ＵＥ７１５のＬＴＥ無線機７２０とＥＰＣ７８０のＭＭＥ７３０との間で送信され得る。
【０１５３】
[00171]図７Ａに示されているように、ＵＥは、ユーザのシグナリングおよびデータトラフィックをトランスポートするための無線アクセスリンクを与える、ｅＮＢ７０５−ａおよびＷＬＡＮ  ＡＰ７０５−ｂに同時に接続される。したがって、図７Ａの態様では、ユーザのデータベアラまたはシグナリングベアラは、ＬＴＥ無線リンクまたはＷＬＡＮ無線リンクのいずれかによってサービスされ得る。
【０１５４】
[00172]図７Ｂは、本開示の一態様による、ＵＥ７１５とＰＤＮ７４０との間のデータ経路７４５および７５２の一例を示すワイヤレス通信システム７００−ｂの図である。データ経路７４５および７５２は、図７Ａのワイヤレス通信システム７００−ａと実質的に同様である、ＷＬＡＮおよびＷＷＡＮ無線アクセス技術からのデータをアグリゲートするためのワイヤレス通信システム７００−ｂのコンテキスト内で示されている。図７Ｂの構成に示されているように、図７Ｂ中のｅＮＢ７０５−ａおよびＷＬＡＮ  ＡＰ７０５−ｂは、コロケートされないことがあるか、またはさもなければ、互いと通信していないことがある。
【０１５５】
[00173]一態様では、１つまたは複数のベアラがＵＥ７１５のために確立され得、ＵＥ７１５にデータをサービスするベアラが、ＵＥ７１５にサービスされているデータへの中断が最小となるように、第１のＲＡＴ（たとえば、ＬＴＥまたはＵＭＴＳ）を使用する第１の通信リンクと、第２のＲＡＴ（たとえば、ＷｉＦｉ、ＬＴＥ、またはＵＭＴＳ）を使用する第２の通信リンクとの間で切り替えられ得る。たとえば、ベアラは、ＵＥ７１５および／またはＷＬＡＮ  ＡＰ７０５−ｂによって与えられた測定値に少なくとも部分的に基づいて、ある時刻に（at a time）切り替えられ得る。ＵＥ７１５および／またはＷＬＡＮ  ＡＰ７０５−ｂによって与えられた測定値は、受信信号品質、バッファステータス、チャネル品質インジケータ（ＣＱＩ）およびＭＣＳ、総無線リソース利用（たとえば、ＷＷＡＮリソースの周波数および／または時間成分）およびユーザごとの無線リソース利用、ならびに／またはＷＷＡＮのためのハードウェアおよびバックホール負荷を含み得る。第１のＲＡＴから第２のＲＡＴにベアラを切り替えるとき、第１のＲＡＴ（たとえば、ＬＴＥ）を使用して送信されなかったデータパケットは、第２のＲＡＴ（たとえば、ＷｉＦｉ）を使用して送信のためにフォワーディングされ得る。
【０１５６】
[00174]ＵＥ７１５がＲＬＣ肯定応答モード（ＡＭ：Acknowledged Mode）で動作しているとき、ベアラによって搬送されるＤＬ送信は、ベアラによって搬送されるＵＬ送信についてのフィードバックメッセージを含み得、ベアラによって搬送されるＵＬ送信は、ベアラによって搬送されるＤＬ送信についてのフィードバックおよび／または制御メッセージを含み得る。一態様では、そのようなフィードバックおよび／または制御メッセージは、ＷＬＡＮリンク７５１を使用せずにＷＷＡＮリンク７４６を使用して、または、ＷＷＡＮリンク７４６を使用せずにＷＬＡＮリンク７５１を使用して配信され得る。一態様では、フィードバックおよび／または制御メッセージがＷＬＡＮリンク７５１上で配信されるとき、ベアラのフィードバックおよび／または制御メッセージは、ＵＥ７１５から送信されるときにＷＬＡＮ  ＡＰ７０５−ｂからｅＮＢ７０５−ａに送られ、ｅＮＢ７０５−ａから送信されるときにｅＮＢ７０５−ａからＷＬＡＮ  ＡＰ７０５−ｂに送られ得る。
【０１５７】
[00175]図８は、本開示の一態様による、ＵＥ７１５と、ｅＮＢ７０５−ａと、ＷＬＡＮ  ＡＰ７０５−ｂとの間のメッセージフローを示す図８００である。図８に示されているように、ｅＮＢ７０５−ａは、インターワーキングメッセージ８０２（interworking message 802）を介してＵＥ７１５からの情報（たとえば、チャネル状態情報）を受信し、および／またはインターワーキングメッセージ８０４を介してＷＬＡＮ  ＡＰ７０５−ｂからの情報（たとえば、ＡＰ統計値）を受信し得る。ｅＮＢ７０５−ａは、受信された情報に基づいて、第１のＲＡＴ（たとえば、ＬＴＥ）を使用する第１の通信リンクから、第２のＲＡＴ（たとえば、ＷｉＦｉ）を使用する第２の通信リンクに、ＵＥ７１５にデータをサービスするベアラを移動すべきかどうかを決定し得る（たとえば、ベアラ切替え決定８０６）。たとえば、受信された情報は、ＵＥ、および／またはＡＰからの、ＣＱＩ、受信信号強度インジケータ（ＲＳＳＩ）、基準信号受信電力（ＲＳＲＰ）、ＭＣＳ、（たとえば、ベアラごとの）バッファサイズ、バッファステータス報告（ＢＳＲ）、各ＲＡＴのためのチャネル負荷を含み得る。受信された情報は、送信および受信されたトラフィック、失敗したおよび／またはドロップされたデータパケット、再送信試み、チャネル負荷ならびに／あるいはＵＥ７１５および／またはＷＬＡＮ  ＡＰ７０５−ｂからの他の情報をも含み得る。そのような態様では、ｅＮＢ７０５−ａは、ＵＥ７１５に構成メッセージ８０８（たとえば、ＲＲＣ接続再構成メッセージ（RRCConnectionReconfigurationMessage））を送ることによって、ｅＮＢ７０５−ａとＵＥ７１５との間の構成手順（たとえば、ＲＲＣ接続再構成手順）を開始し得る。構成メッセージ８０８を搬送する（１つまたは複数の）データパケットの成功した送信が、ＨＡＲＱ  ＡＣＫを受信したときにｅＮＢ７０５−ａにおいてＭＡＣレイヤによって確認されたとき、ベアラのためのｅＮＢ７０５−ａにおけるＲＬＣレイヤはリセットされ得、ベアラは、第２のＲＡＴ（たとえば、ＷｉＦｉ）を使用する第２の通信リンクに切り替えられ得る。ＵＥ７１５は、それが構成メッセージ８０８を受信したとき、ＵＥ７１５におけるＲＬＣレイヤをリセットし得、このベアラのための第２のＲＡＴ（たとえば、ＷｉＦｉ）を使用する第２の通信リンクを介してデータパケットを受け付けるように構成され得る。
【０１５８】
[00176]一態様では、ベアラが、第１のＲＡＴ（たとえば、ＬＴＥ）を使用する第１の通信リンクから、第２のＲＡＴ（たとえば、ＷｉＦｉ）を使用する第２の通信リンクに切り替えられるとき、ｅＮＢ７０５−ａは、ＵＥ７１５によって受信されていないすべてのＰＤＣＰパケットをＷＬＡＮ  ＡＰ７０５−ｂにフォワーディングする。たとえば、ｅＮＢ７０５−ａは、肯定応答がないダウンリンクＰＤＣＰパケットをＷＬＡＮ  ＡＰ７０５−ｂにフォワーディングし得、ＵＥ７１５は、肯定応答がないアップリンクＰＤＣＰパケットをＷＬＡＮ  ＡＰ７０５−ｂに送り得る。一態様では、ｅＮＢ７０５−ａは、ＲＬＣレイヤがｅＮＢ７０５−ａにおいてリセットされ、ＲＬＣレイヤがＵＥ７１５においてリセットされた後（たとえば、ｅＮＢ７０５−ａにおけるＲＬＣレイヤ、およびＵＥ７１５におけるＲＬＣレイヤが同時にリセットされ得る）、肯定応答がないダウンリンクＰＤＣＰパケットをＷＬＡＮ  ＡＰ７０５−ｂにフォワーディングし得る。たとえば、ＵＥ７１５は、構成変更を適用すると、ＲＬＣレイヤをリセットし得る。別の例では、ｅＮＢ７０５−ａは、構成変更のためのＵＥ７１５からの再構成完了メッセージ８２４（たとえば、ＲＲＣ接続再構成完了（RRCConnectionReconfigurationComplete））を受信すると、ＲＬＣレイヤをリセットし得る。他の例では、ｅＮＢ７０５−ａは、通信リンクを切り替えることの決定時に、ＲＬＣレイヤをリセットし得る。
【０１５９】
[00177]一態様では、ＲＬＣ  ＡＭを使用するベアラの場合、ｅＮＢ７０５−ａは、送信されるべきであるＰＤＣＰパケットの選択を最適化し得る。一態様では、ｅＮＢ７０５−ａが、第１のＲＡＴ（たとえば、ＬＴＥ）を使用する第１の通信リンクから、第２のＲＡＴ（たとえば、ＷｉＦｉ）を使用する第２の通信リンクにベアラを切り替えることを決定したとき、ｅＮＢ７０５−ａは、第２のＲＡＴを使用する第２の通信リンクにベアラを切り替える前に、第１のＲＡＴを使用する第１の通信リンクを介してＵＥ７１５にＰＤＣＰステータス報告８１０を送り得る。たとえば、ｅＮＢ７０５−ａは、ＷＬＡＮ  ＡＰ７０５−ｂにコマンド８１６または８２６を送ることによって、第１のＲＡＴを使用する第１の通信リンクから、第２のＲＡＴを使用する第２の通信リンクへのベアラの切替えを開始し得る。別の態様では、ＰＤＣＰステータス報告８１０は、構成メッセージ８０８についてのＡＣＫ８１２を受信した後に、または、再構成完了メッセージ８２４（たとえば、ＲＲＣ接続再構成完了メッセージ（an RRC Connection Reconfiguration Complete message））を受信した後に、構成メッセージ８０８中で、構成メッセージ８０８より前に、送られ得る。たとえば、ＡＣＫ８１２は、ｅＮＢ７０５−ａの物理（ＰＨＹ）レイヤ上で受信された肯定応答であり得る。
【０１６０】
[00178]一態様では、ＵＥ７１５は、構成メッセージ８０８（たとえば、ＲＲＣ接続再構成メッセージ（an RRCConnectionReconfiguration message））を受信した後、第１のＲＡＴ（たとえば、ＬＴＥ）を使用する第１の通信リンクを介してＰＤＣＰステータス報告８２２を送り得る。そのような態様では、ｅＮＢ７０５−ａは、ベアラを切り替えるためのコマンド（たとえば、コマンド８２６）をＷＬＡＮ  ＡＰ７０５−ｂに送る前に、ＰＤＣＰステータス報告８２２を待ち得る。別の態様では、ＵＥ７１５は、再構成完了メッセージ８２４中でＰＤＣＰステータス報告８２２を送り得る。別の態様では、ＵＥ７１５は、第１のＲＡＴ（たとえば、ＬＴＥ）を使用する第１の通信リンクから、第２のＲＡＴ（たとえば、ＷｉＦｉ）を使用する第２の通信リンクへのベアラの切替えの後に、ＰＤＣＰステータス報告（たとえば、ＰＤＣＰステータス報告８２８）を送り得る。そのような場合、ｅＮＢ７０５−ａは、ＷＬＡＮ  ＡＰ７０５−ｂを介してＵＥ７１５からＰＤＣＰ報告を受信し得る。図８に示されているように、ＵＥ７１５は、ＰＤＣＰ報告（たとえば、ＰＤＣＰステータス報告８３０）をＷＬＡＮ  ＡＰ７０５−ｂに送り得る。
【０１６１】
[00179]一態様では、ｅＮＢ７０５−ａは、構成メッセージ８０８についてのＡＣＫ８１２を受信した後に、ＵＥ７１５にＲＬＣステータス報告８１４を送り得る。別の態様では、ｅＮＢ７０５−ａは、構成メッセージ８０８と同時に、ＵＥ７１５にＲＬＣステータス報告８１４を送り得る。一態様では、ＵＥ７１５は、構成メッセージ８０８についてのＡＣＫ８１２を送った後にいつでも、ＲＬＣステータス報告８２０を送り得る。
【０１６２】
[00180]図８に示されているように、一態様では、ｅＮＢ７０５−ａは、構成メッセージ８０８についてのＡＣＫ８１２を受信した後に、コマンド８１６を送ることによって、第１のＲＡＴ（たとえば、ＬＴＥ）を使用する第１の通信リンクから、第２のＲＡＴ（たとえば、ＷｉＦｉ）を使用する第２の通信リンクにベアラを切り替え得る。ｅＮＢ７０５−ａは、次いで、すべての肯定応答がないパケット８１８をＷＬＡＮ  ＡＰ７０５−ｂにフォワーディングし得る。別の態様では、ｅＮＢ７０５−ａは、ＵＥ７１５から再構成完了メッセージ８２４（たとえば、ＲＲＣ接続再構成完了メッセージ（RRCConnectionReconfigurationCompleteMessage））を受信した後に、コマンド８２６を送ることによって、第１のＲＡＴ（たとえば、ＬＴＥ）を使用する第１の通信リンクから、第２のＲＡＴ（たとえば、ＷｉＦｉ）を使用する第２の通信リンクにベアラを切り替え得る。ｅＮＢ７０５−ａは、次いで、すべての肯定応答がないパケット８２７をＷＬＡＮ  ＡＰ７０５−ｂにフォワーディングし得る。一態様では、ＵＥ７１５は、構成メッセージ８０８を受信した後に、あるいはＲＬＣステータス報告（たとえば、ＲＬＣステータス報告８１４）および／またはＰＤＣＰステータス報告（たとえば、ＰＤＣＰステータス報告８１０）を受信した後に、第１のＲＡＴ（たとえば、ＬＴＥ）を使用する第１の通信リンクから、第２のＲＡＴ（たとえば、ＷｉＦｉ）を使用する第２の通信リンクにベアラを切り替え得る。タイマーは、ＵＥ７１５が、ＲＬＣおよび／またはＰＤＣＰをリセットする前にタイマーの満了までＲＬＣステータス報告（たとえば、ＲＬＣステータス報告８１４）および／またはＰＤＣＰステータス報告を待つように、ＡＣＫ８１２を送るとＵＥ７１５によって開始され得る。
【０１６３】
[00181]図９は、本開示の一態様による、ＵＥ７１５と、ｅＮＢ７０５−ａと、ＷＬＡＮ  ＡＰ７０５−ｂとの間のメッセージフローを示す図９００である。図９に示されているように、ｅＮＢ７０５−ａは、インターワーキングメッセージ９０２を介してＵＥ７１５からの情報（たとえば、チャネル状態情報）を受信し、および／またはインターワーキングメッセージ９０４を介してＷＬＡＮ  ＡＰ７０５−ｂからの情報（たとえば、ＡＰ統計値）を受信し得る。ｅＮＢ７０５−ａは、受信された情報に基づいて、第１のＲＡＴ（たとえば、ＷｉＦｉ）を使用する第１の通信リンクから、第２のＲＡＴ（たとえば、ＬＴＥ）を使用する第２の通信リンクに、ＵＥ７１５にデータをサービスするベアラを移動すべきかどうかを決定し得る（たとえば、ベアラ切替え決定９０６）。たとえば、受信された情報は、ＵＥ７１５および／またはＷＬＡＮ  ＡＰ７０５−ｂからの、ＣＱＩ、ＲＳＳＩ、ＲＳＲＰ、ＭＣＳ、（たとえば、ベアラごとの）バッファサイズ、バッファステータス報告（ＢＳＲ）、各ＲＡＴのためのチャネル負荷を含み得る。受信された情報は、送信および受信されたトラフィック、失敗したおよび／またはドロップされたデータパケット、再送信試み、チャネル負荷ならびに／あるいはＵＥ７１５および／またはＷＬＡＮ  ＡＰ７０５−ｂからの他の情報をも含み得る。そのような態様では、ｅＮＢ７０５−ａは、ＵＥ７１５に構成メッセージ９０８（たとえば、ＲＲＣ接続再構成メッセージ（RRCConnectionReconfigurationMessage））を送ることによって、ｅＮＢ７０５−ａとＵＥ７１５との間の構成手順（たとえば、ＲＲＣ接続再構成手順（an RRC Connection Reconfiguration procedure））を開始し得る。構成メッセージ９０８を搬送する（１つまたは複数の）データパケットの成功した送信が、ＨＡＲＱ  ＡＣＫを受信したときにｅＮＢ７０５−ａにおいてＭＡＣレイヤによって確認されたとき、ベアラのためのｅＮＢ７０５−ａにおけるＲＬＣレイヤはリセットされ得、ベアラは、第２のＲＡＴ（たとえば、ＬＴＥ）を使用する第２の通信リンクに切り替えられ得る。ＵＥ７１５は、それが構成メッセージ９０８を受信したとき、ＵＥ７１５におけるＲＬＣレイヤをリセットし得、このベアラのための第２のＲＡＴ（たとえば、ＬＴＥ）を使用する第２の通信リンクを介してデータパケットを受け付けるように構成され得る。
【０１６４】
[00182]一態様では、ＵＥ７１５は、構成変更を適用すると、ＲＬＣレイヤをリセットし得る。別の例では、ｅＮＢ７０５−ａは、構成変更のためのＵＥ７１５からの確認（たとえば、ＲＲＣ接続再構成完了９２４（RRCConnectionReconfigurationComplete 924））を受信すると、ＲＬＣレイヤをリセットし得る。他の例では、ｅＮＢ７０５−ａは、通信リンクを切り替えることの決定時に、ＲＬＣレイヤをリセットし得る。
【０１６５】
[00183]一態様では、ＲＬＣ  ＡＭを使用するベアラの場合、ｅＮＢ７０５−ａは、送信されるべきであるＰＤＣＰパケットの選択を最適化し得る。一態様では、ｅＮＢ７０５−ａが、第１のＲＡＴ（たとえば、ＷｉＦｉ）を使用する第１の通信リンクから、第２のＲＡＴ（たとえば、ＬＴＥ）を使用する第２の通信リンクにベアラを切り替えることを決定したとき、ｅＮＢ７０５−ａは、第２のＲＡＴを使用する第２の通信リンクにベアラを切り替える前に、第１のＲＡＴを使用する第１の通信リンクを介してＵＥ７１５にＰＤＣＰステータス報告９１０を送り得る。たとえば、ｅＮＢ７０５−ａは、ＷＬＡＮ  ＡＰ７０５−ｂにコマンド９１６または９２６を送ることによって、第１のＲＡＴを使用する第１の通信リンクから、第２のＲＡＴを使用する第２の通信リンクへのベアラの切替えを開始し得る。ＷＬＡＮ  ＡＰ７０５−ｂは、コマンド９１６または９２６を受信すると、データを送信することを停止し得る。別の態様では、ＰＤＣＰステータス報告９１０は、構成メッセージ９０８についてのＡＣＫ９１２を受信した後に、または、再構成完了メッセージ９２４（たとえば、ＲＲＣ接続再構成完了メッセージ（an RRC Connection Reconfiguration Complete message））を受信した後に、構成メッセージ９０８中で、構成メッセージ９０８より前に、送られ得る。たとえば、ＡＣＫ９１２は、ｅＮＢ７０５−ａの物理（ＰＨＹ）レイヤ上で受信された肯定応答であり得る。
【０１６６】
[00184]一態様では、ＵＥ７１５は、構成メッセージ９０８（たとえば、ＲＲＣ接続再構成メッセージ（an RRCConnectionReconfiguration message））を受信した後、第１のＲＡＴ（たとえば、ＷｉＦｉ）を使用する第１の通信リンクを介してＰＤＣＰステータス報告９２２を送り得る。そのような態様では、ｅＮＢ７０５−ａは、ベアラを切り替えるためのコマンド（たとえば、コマンド９２６）をＷＬＡＮ  ＡＰ７０５−ｂに送る前に、ＰＤＣＰステータス報告９２２を待ち得る。別の態様では、ＵＥ７１５は、再構成完了メッセージ９２４中でＰＤＣＰステータス報告９２２を送り得る。別の態様では、ＵＥ７１５は、第１のＲＡＴ（たとえば、ＷｉＦｉ）を使用する第１の通信リンクから、第２のＲＡＴ（たとえば、ＬＴＥ）を使用する第２の通信リンクへのベアラの切替えの後に、ＰＤＣＰステータス報告を送り得る。そのような場合、ｅＮＢ７０５−ａは、ＷＬＡＮ  ＡＰ７０５−ｂを介してＵＥ７１５からＰＤＣＰ報告を受信し得る。
【０１６７】
[00185]一態様では、ｅＮＢ７０５−ａは、構成メッセージ９０８についてのＡＣＫ９１２を受信した後に、ＵＥ７１５にＲＬＣステータス報告９１４を送り得る。別の態様では、ｅＮＢ７０５−ａは、構成メッセージ９０８と同時に、ＵＥ７１５にＲＬＣステータス報告９１４を送り得る。一態様では、ＵＥ７１５は、構成メッセージ９０８についてのＡＣＫ９１２を送った後にいつでも、ＲＬＣステータス報告９２０を送り得る。
【０１６８】
[00186]図９に示されているように、一態様では、ｅＮＢ７０５−ａは、構成メッセージ９０８についてのＡＣＫ９１２を受信した後に、コマンド９１６を送ることによって、第１のＲＡＴ（たとえば、ＷｉＦｉ）を使用する第１の通信リンクから、第２のＲＡＴ（たとえば、ＬＴＥ）を使用する第２の通信リンクにベアラを切り替え得る。一態様では、ｅＮＢ７０５−ａは、ＵＥ７１５から再構成完了メッセージ９２４（たとえば、ＲＲＣ接続再構成完了メッセージ（RRCConnectionReconfigurationCompleteMessage））を受信した後に、コマンド９２６を送ることによって、第１のＲＡＴ（たとえば、ＷｉＦｉ）を使用する第１の通信リンクから、第２のＲＡＴ（たとえば、ＬＴＥ）を使用する第２の通信リンクにベアラを切り替え得る。一態様では、ＵＥ７１５は、構成メッセージ９０８を受信した後に、あるいはＲＬＣステータス報告（たとえば、ＲＬＣステータス報告９１４）および／またはＰＤＣＰステータス報告（たとえば、ＰＤＣＰステータス報告９１０）を受信した後に、第１のＲＡＴ（たとえば、ＷｉＦｉ）を使用する第１の通信リンクから、第２のＲＡＴ（たとえば、ＬＴＥ）を使用する第２の通信リンクにベアラを切り替え得る。タイマーは、ＵＥ７１５が、ＲＬＣおよび／またはＰＤＣＰをリセットする前にタイマーの満了までＲＬＣステータス報告（たとえば、ＲＬＣステータス報告９１４）および／またはＰＤＣＰステータス報告を待つように、ＡＣＫ９１２を送るとＵＥ７１５によって開始され得る。
【０１６９】
[00187]一態様では、ｅＮＢ７０５−ａが、第１のＲＡＴ（たとえば、ＷｉＦｉ）を使用する第１の通信リンクから、第２のＲＡＴ（たとえば、ＬＴＥ）を使用する第２の通信リンクにベアラを切り替えることを決定したとき、ｅＮＢ７０５−ａは、第１のＲＡＴ（たとえば、ＷｉＦｉ）のドライバにプッシュされていないすべてのＰＤＣＰパケットを第２のＲＡＴ（たとえば、ＬＴＥ）にフォワーディングし得る。別の態様では、ｅＮＢ７０５−ａが、第１のＲＡＴ（たとえば、ＷｉＦｉ）を使用する第１の通信リンクから、第２のＲＡＴ（たとえば、ＬＴＥ）を使用する第２の通信リンクにベアラを切り替えることを決定したとき、ｅＮＢ７０５−ａは、ＰＤＣＰパケットのローカルコピーを記憶し得る。そのような態様では、ｅＮＢ７０５−ａは、第１のＲＡＴ（たとえば、ＷｉＦｉ）を使用する第１の通信リンク上で正常に送信されなかったＰＤＣＰパケットを、切替えの後に、第２のＲＡＴ（たとえば、ＬＴＥ）を使用する第２の通信リンク上で再送信し得る。そのような態様では、肯定応答がないパケットのために、ＷＬＡＮ  ＡＰ７０５−ｂからｅＮＢ７０５−ａへのフィードバック機構が実装され得る。
【０１７０】
[00188]一態様では、ベアラが第２のＲＡＴに切り替えられた後にＷＬＡＮ  ＡＰ７０５−ｂがそれのバッファ中のＰＤＣＰパケットを送信し続ける場合、重複ＰＤＣＰパケットがＵＥ７１５に到着し得る。そのような態様では、切り替えられたベアラについての送信を中止するために、（たとえば、ＰＤＣＰレイヤよりも高い）高プロトコルレイヤによって、あるいはｅＮＢ７０５−ａ／ＷＬＡＮ  ＡＰ７０５−ｂ内のＬＴＥとＷｉＦｉとの間の相互接続、またはＵＥ７１５内のＬＴＥとＷｉＦｉとの間の相互接続上でシグナリングすることによって、重複は訂正され得る。
【０１７１】
[00189]一態様では、ｅＮＢ７０５−ａは、ＷｉＦｉなどの第１のＲＡＴを使用する第１の通信リンクから、ＬＴＥなどの第２のＲＡＴを使用する第２の通信リンクにベアラを切り替えることを決定し得る。そのような態様では、ＰＤＣＰステータス報告は、データベアラが切り替えられる前に、ＷｉＦｉリンクを使用してＵＥ７１５とｅＮＢ７０５−ａとの間で交換され得る。そのような態様では、ＲＬＣステータス報告は、ＬＴＥリンクまたはＷｉＦｉリンクのいずれかを使用して交換され得る。一態様では、ＲＲＣメッセージは、ＬＴＥリンクのみを使用してＵＥ７１５とｅＮＢ７０５−ａとの間で交換され得る。別の態様では、ＲＲＣメッセージは、ＬＴＥリンクおよび／またはＷｉＦｉリンクを使用してＵＥ７１５とｅＮＢ７０５−ａとの間で交換され得る。
【０１７２】
[00190]本明細書で説明する態様では、ベアラ切替えは、ＰＤＣＰレイヤの上でｅＮＢ７０５−ａによって実行され得る。他の態様では、ベアラ切替えは、ＰＤＣＰレイヤにおいてｅＮＢ７０５−ａによって実行され得る。ベアラのためのＲＬＣレイヤは両方のＲＡＴリンク上で使用され得るか、またはそれはＬＴＥリンク上でのみ使用され得る。
【０１７３】
[00191]図１０Ａおよび図１０Ｂは、本開示の一態様による、ワイヤレス通信の方法のフローチャート１０００である。本方法は、ｅＮＢ７０５−ａなど、ｅＮＢによって実行され得る。図１０Ａおよび図１０Ｂにおいて点線で示されているステップは随意のステップを表すことを理解されたい。ステップ１００２において、ｅＮＢは、第１のＲＡＴ（たとえば、ＬＴＥ）を使用する第１の通信リンクを介してＵＥ７１５などのＵＥにデータ（たとえば、データパケット）をサービスするか、またはＵＥからデータを受信する。
【０１７４】
[00192]ステップ１００４において、ｅＮＢは、第２のＲＡＴ（たとえば、ＷｉＦｉ）を使用する第２の通信リンクを介してサービスされるべきデータのコピーをバッファ中に記憶する。
【０１７５】
[00193]ステップ１００５において、ｅＮＢは、第２のＲＡＴを使用する第２の通信リンクを介してサービスされるべき各データパケットに割り当てられたシーケンス番号を記憶する。たとえば、ｅＮＢは、第１のＲＡＴを使用する第１の通信リンクを介してサービスされるべきデータパケットにシーケンス番号を割り当て、第２のＲＡＴを使用する第２の通信リンクを介してサービスされるべきデータパケットにシーケンス番号を割り当て得る。ｅＮＢは、第１のＲＡＴを使用する第１の通信リンクを介してサービスされるべきデータパケットのシーケンス番号を、第２のＲＡＴを使用する第２の通信リンクを介してサービスされるべきデータパケットのシーケンス番号にマッピングし得る。
【０１７６】
[00194]ステップ１００６において、ｅＮＢは、データが、第２のＲＡＴを使用する第２の通信リンクを介してサービスされるまたは受信されることを示す構成メッセージをＵＥに送信する。一態様では、構成メッセージは、ＵＥからのステータス報告（たとえば、ＲＬＣレイヤステータス報告および／またはＰＤＣＰレイヤステータス報告）についての要求を含む。
【０１７７】
[00195]ステップ１００８において、ｅＮＢは、少なくとも１つのプロトコルレイヤステータス報告をＵＥに送る。一態様では、ｅＮＢは、第１のＲＡＴを使用する第１の通信リンク、または第２のＲＡＴを使用する第２の通信リンクを介してＵＥに少なくとも１つのプロトコルレイヤステータス報告を送る。たとえば、少なくとも１つのプロトコルレイヤステータス報告は、ＰＤＣＰレイヤステータス報告またはＲＬＣレイヤステータス報告であり得る。一態様では、少なくとも１つのプロトコルレイヤステータス報告は、構成メッセージと同時に、または構成メッセージ内でＵＥに送られる。
【０１７８】
[00196]ステップ１０１０において、ｅＮＢは、第１のＲＡＴを使用する第１の通信リンクを介して構成メッセージについてＵＥから肯定応答メッセージを受信する。一態様では、ＵＥからの肯定応答メッセージは、ＵＥのＲＲＣレイヤの再構成が完了したことと、ＵＥが第２のＲＡＴを介してデータを受信するように構成されたこととを示し得る。一態様では、ｅＮＢは、ステップ１０１０の後にステップ１００８を実行し得る。たとえば、ｅＮＢは、構成メッセージについてＵＥから肯定応答メッセージを受信した後に、少なくとも１つのプロトコルレイヤステータス報告をＵＥに送り得る。
【０１７９】
[00197]ステップ１０１２において、ｅＮＢは、構成メッセージについての物理レイヤ肯定応答を検出する。一態様では、ｅＮＢは、ステップ１０１２の後にステップ１００８を実行し得る。たとえば、ｅＮＢは、構成メッセージについてのＵＥからの物理レイヤ肯定応答を検出した後に、少なくとも１つのプロトコルレイヤステータス報告をＵＥに送り得る。
【０１８０】
[00198]ステップ１０１４において、ｅＮＢは、第１のＲＡＴを使用する第１の通信リンク、または第２のＲＡＴを使用する第２の通信リンクを介してＵＥから少なくとも１つのプロトコルレイヤステータス報告を受信し、送る。一態様では、少なくとも１つのプロトコルレイヤステータス報告は、少なくとも１つのプロトコルレイヤステータス報告が第２のＲＡＴを介して受信されるとき、ＡＰを通して受信される。
【０１８１】
[00199]ステップ１０１６において、ｅＮＢは、少なくとも１つの条件（condition）に基づいて、第２のＲＡＴ（たとえば、ＷｉＦｉ）を使用する第２の通信リンクを使用してＵＥにデータをサービスすることを決定する。一態様では、少なくとも１つの条件は、物理レイヤ肯定応答の受信、構成メッセージに応答するＲＲＣメッセージの受信、または構成メッセージの送信時に始動させられたタイマーの満了であり得る。
【０１８２】
[00200]ステップ１０１８において、ｅＮＢは、第２のＲＡＴを使用してＵＥにデータをサービスすることを決定すると、ＲＬＣレイヤをリセットする。
【０１８３】
[00201]ステップ１０２０において、ｅＮＢは、第１のＲＡＴを使用してサービスされたデータのうちの肯定応答がないデータ（たとえば、肯定応答がないデータパケット）を決定する。一態様では、ステップ１０１４においてＵＥから受信された少なくとも１つのプロトコルレイヤステータス報告は、第１のＲＡＴを介してＵＥによって受信されたデータを識別し、ここにおいて、肯定応答がないデータは、少なくとも１つのプロトコルレイヤステータス報告に基づいて決定される。
【０１８４】
[00202]ステップ１０２２において、ｅＮＢは、データのサービスまたは受信を、第１のＲＡＴを使用する第１の通信リンクから、第２のＲＡＴを使用する第２の通信リンクに切り替えるための構成手順を開始する。
【０１８５】
[00203]ステップ１０２４において、ｅＮＢは、第２のＲＡＴを使用する第２の通信リンクを介してサービスされるべき、肯定応答がないデータをフォワーディングする。一態様では、肯定応答がないデータは、ステップ１０１０において受信された肯定応答メッセージに応答してフォワーディングされる。別の態様では、肯定応答がないデータは、ステップ１０１２における検出された物理レイヤ肯定応答に応答してフォワーディングされる。
【０１８６】
[00204]ステップ１０２６において、ｅＮＢは、ＡＰまたはＵＥからフィードバック情報を受信する。一態様では、フィードバック情報は、正常に送信されたデータパケットおよび失敗したデータパケットの量を示す。一態様では、ＷＬＡＮ  ＡＰ７０５−ｂからのフィードバックは、正常に送信されたパケットの１つまたは複数のシーケンス番号を含み得る。そのような態様では、ｅＮＢは、ＡＰによって正常に送信されなかったパケットを識別するために、フィードバックを使用し得る。
【０１８７】
[00205]ステップ１０２８において、ｅＮＢは、フィードバック情報に基づいて、ＵＥまたはＡＰのバッファ中で待機しているフォワーディングされたデータの量がしきい値を超えるかどうかを決定する。
【０１８８】
[00206]ステップ１０３０において、ｅＮＢは、ＵＥまたはＡＰのバッファ中のデータの量がしきい値を超えるとき、ＡＰにデータをもはやフォワーディングしない。
【０１８９】
[00207]最後に、ステップ１０３２において、ｅＮＢは、第２のＲＡＴを使用する第２の通信リンク上の送信エラーによる失敗したパケットの量がしきい値を超えるとき、ＡＰまたはＵＥにデータをもはやフォワーディングしない。
【０１９０】
[00208]図１１は、本開示の様々な態様による、例示的な装置１１０２における異なるモジュール／手段／構成要素間のデータフローを示す概念データフロー図１１００である。本装置はｅＮＢであり得る。本装置は、第１のＲＡＴを使用する第１の通信リンクを介して構成メッセージについてＵＥから肯定応答メッセージを受信し、第１のＲＡＴを使用する第１の通信リンク、または第２のＲＡＴを使用する第２の通信リンクを介してＵＥ（たとえば、ＵＥ１１５０）から少なくとも１つのプロトコルレイヤステータス報告を受信し、ＡＰ（たとえば、ＡＰ１１５２）またはＵＥからフィードバック情報（たとえば、フィードバック１１２２）を受信する受信モジュール１１０４と、少なくとも１つの条件に基づいて、第２のＲＡＴ（たとえば、ＷｉＦｉ）を使用する第２の通信リンクを介してＵＥにデータをサービスすることを決定し、第１のＲＡＴを使用する第１の通信リンクを介してサービスされたデータのうちの肯定応答がないデータ（たとえば、肯定応答がないデータパケット）を決定し、フィードバック情報（たとえば、フィードバック１１２２）に基づいて、ＵＥまたはＡＰのバッファ中で待機しているフォワーディングされたデータ（たとえば、フォワーディングされたデータ１１２４）の量がしきい値を超えるかどうかを決定し、構成メッセージについての物理レイヤ肯定応答を検出するモジュール１１０６と、データが、第２のＲＡＴを使用する第２の通信リンクを介してサービスされることを示す構成メッセージをＵＥに送信するモジュール１１０７と、データのサービスを、第１のＲＡＴを使用する第１の通信リンクから、第２のＲＡＴを使用する第２の通信リンクに切り替えるための構成手順を開始するモジュール１１０８と、第１のＲＡＴ（たとえば、ＬＴＥ）を使用する第１の通信リンクを介してＵＥにデータ（たとえば、データパケット）をサービスするモジュール１１１０と、第２のＲＡＴを使用してＵＥにデータをサービスすることを決定すると、ＲＬＣレイヤをリセットするモジュール１１１２と、第２のＲＡＴを使用する第２の通信リンクを介してサービスされるべきデータのコピーをバッファ中に記憶するモジュール１１１４と、ＡＰバッファ中のデータの量がしきい値を超えるとき、ＡＰにデータをもはやフォワーディングせず、第２のＲＡＴを使用する第２の通信リンク上の送信エラーによる失敗したパケットの量がしきい値を超えるとき、ＡＰまたはＵＥにデータをもはやフォワーディングしないモジュール１１１６と、第２のＲＡＴを使用してサービスされるべき、肯定応答がないデータ（たとえば、フォワーディングされたデータ１１２４）をフォワーディングするモジュール１１１８と、第１のＲＡＴまたは第２のＲＡＴを使用して少なくとも１つのプロトコルレイヤステータス報告をＵＥに送る送信モジュール１１２０とを含む。
【０１９１】
[00209]本装置は、図１０Ａおよび図１０Ｂの上述のフローチャート中のアルゴリズムのステップの各々を実行する追加のモジュールを含み得る。したがって、図１０Ａおよび図１０Ｂの上述のフローチャート中の各ステップは１つのモジュールによって実行され得、本装置は、それらのモジュールのうちの１つまたは複数を含み得る。それらのモジュールは、述べられたプロセス／アルゴリズムを実行するように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１９２】
[00210]図１２は、本開示の様々な態様による、処理システム１２１４を採用する装置１１０２’のためのハードウェア実装形態の一例を示す図１２００である。処理システム１２１４は、バス１２２４によって概略的に表されるバスアーキテクチャを用いて実装され得る。バス１２２４は、処理システム１２１４の特定の適用例および全体的な設計制約に応じて、任意の数の相互接続バスおよびブリッジを含み得る。バス１２２４は、プロセッサ１２０４によって表される、１つまたは複数のプロセッサおよび／またはハードウェアモジュールと、モジュール１１０４、１１０６、１１０７、１１０８、１１１０、１１１２、１１１４、１１１６、１１１８、および１１２０と、ならびにコンピュータ可読媒体／メモリ１２０６とを含む様々な回路を互いにリンクする。バス１２２４はまた、タイミングソース、周辺機器、電圧調整器、および電力管理回路など、様々な他の回路をリンクし得るが、これらの回路は当技術分野においてよく知られており、したがって、これ以上説明しない。
【０１９３】
[00211]処理システム１２１４はトランシーバ１２１０に結合され得る。トランシーバ１２１０は１つまたは複数のアンテナ１２２０に結合される。トランシーバ１２１０は、伝送媒体を介して様々な他の装置と通信するための手段を与える。トランシーバ１２１０は、１つまたは複数のアンテナ１２２０から信号を受信し、受信された信号から情報を抽出し、抽出された情報を処理システム１２１４、特に受信モジュール１１０４に与える。さらに、トランシーバ１２１０は、処理システム１２１４、特に送信モジュール１１２０から情報を受信し、受信された情報に基づいて、１つまたは複数のアンテナ１２２０に適用されるべき信号を生成する。処理システム１２１４は、コンピュータ可読媒体／メモリ１２０６に結合されたプロセッサ１２０４を含む。プロセッサ１２０４は、コンピュータ可読媒体／メモリ１２０６に記憶されたソフトウェアの実行を含む一般的な処理を担当する。ソフトウェアは、プロセッサ１２０４によって実行されたとき、処理システム１２１４に、特定の装置のための上記で説明した様々な機能を実行させる。コンピュータ可読媒体／メモリ１２０６はまた、ソフトウェアを実行するときにプロセッサ１２０４によって操作されるデータを記憶するために使用され得る。処理システムは、モジュール１１０４、１１０６、１１０７、１１０８、１１１０、１１１２、１１１４、１１１６、１１１８、および１１２０のうちの少なくとも１つをさらに含む。それらのモジュールは、プロセッサ１２０４中で走行して、コンピュータ可読媒体／メモリ１２０６中に常駐する／記憶されたソフトウェアモジュールであるか、プロセッサ１２０４に結合された１つまたは複数のハードウェアモジュールであるか、またはそれらの何らかの組合せであり得る。処理システム１２１４は、ｅＮＢ６１０の構成要素であり得、メモリ６７６および／またはＴＸプロセッサ６１６と、ＲＸプロセッサ６７０と、コントローラ／プロセッサ６７５とのうちの少なくとも１つを含み得る。
【０１９４】
[00212]一構成では、ワイヤレス通信のための装置１１０２／１１０２’は、第１のＲＡＴを使用する第１の通信リンクを介してＵＥにデータをサービスするための手段と、データが、第２のＲＡＴを使用する第２の通信リンクを介してサービスされることを示す構成メッセージをＵＥに送信するための手段と、データのサービスを、第１のＲＡＴを使用する第１の通信リンクから、第２のＲＡＴを使用する第２の通信リンクに切り替えるための構成手順を開始するための手段と、第１のＲＡＴを使用してサービスされたデータのうちの肯定応答がないデータを決定するための手段と、第２のＲＡＴを使用してサービスされるべき、肯定応答がないデータをフォワーディングするための手段と、少なくとも１つの条件に基づいて、第２のＲＡＴを使用してデータをサービスすることを決定するための手段と、第２のＲＡＴを使用してデータをサービスすることを決定すると、無線リンク制御（ＲＬＣ）レイヤをリセットするための手段と、ＵＥから少なくとも１つのプロトコルレイヤステータス報告を受信するための手段と、第１のＲＡＴを使用する第１の通信リンクを介して構成メッセージについてＵＥから肯定応答メッセージを受信するための手段と、構成メッセージにつてＵＥから肯定応答を受信するための手段と、構成メッセージについての物理レイヤ肯定応答を検出するための手段と、ＵＥに少なくとも１つのプロトコルレイヤステータス報告を送るための手段と、ＡＰからフィードバック情報を受信するための手段と、ここにおいて、フィードバック情報が、正常に送信されたデータパケットおよび失敗したデータパケットについてのステータスを示す、第２のＲＡＴを使用する第２の通信リンクを介してサービスされるべきデータのコピーをバッファ中に記憶するための手段と、パケットの送信成功のステータスについてＡＰまたはＵＥからフィードバック情報を受信するための手段と、フィードバック情報に基づいて、ＵＥまたはＡＰのバッファ中で待機しているフォワーディングされたデータの量がしきい値を超えるかどうかを決定するための手段と、ＡＰバッファ中のデータの量がしきい値を超えるとき、ＡＰにデータをもはやフォワーディングしないための手段と、第１のＲＡＴを使用する第１の通信リンク、または第２のＲＡＴを使用する第２の通信リンクを介してＵＥとの間で少なくとも１つのプロトコルレイヤステータス報告を送り、受信するための手段と、第２のＲＡＴを使用する第２の通信リンク上の送信エラーによる失敗したパケットの量がしきい値を超えるとき、ＡＰまたはＵＥにデータをもはやフォワーディングしないための手段とを含む。上述の手段は、上述の手段によって具陳された機能を実行するように構成された、装置１１０２の上述のモジュールおよび／または装置１００２’の処理システム１２１４のうちの１つまたは複数であり得る。上記で説明したように、処理システム１２１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成された、ＴＸプロセッサ６１６と、ＲＸプロセッサ６７０と、コントローラ／プロセッサ６��５とであり得る。
【０１９５】
[00213]図１３Ａおよび図１３Ｂは、本開示の一態様による、ワイヤレス通信の方法のフローチャート１３００である。図１３Ａおよび図１３Ｂにおいて点線で示されているステップは随意のステップを表すことを理解されたい。本方法はＵＥ（たとえば、ＵＥ７１５、装置１４０２／１４０２’）によって実行され得る。ステップ１３０２において、ＵＥは、第１のＲＡＴ（たとえば、ＬＴＥ）を使用する第１の通信リンクを介して、ネットワーク（たとえば、ｅＮＢ７０５−ａ）からサービスされたデータを受信するか、またはネットワーク（たとえば、ｅＮＢ７０５−ａ）にデータを送信する。
【０１９６】
[00214]ステップ１３０４において、ＵＥは少なくとも１つのプロトコルレイヤステータス報告を受信する。たとえば、図８を参照すると、ＵＥ７１５は、ＰＤＣＰステータス報告８１０を受信し得る。一態様では、少なくとも１つのプロトコルレイヤステータス報告は、第１のＲＡＴを使用する第１の通信リンク、または第２のＲＡＴ（たとえば、ＷｉＦｉ）を使用する第２の通信リンクを介して受信される。たとえば、少なくとも１つのプロトコルレイヤステータス報告は、ＰＤＣＰレイヤステータス報告および／またはＲＬＣレイヤステータス報告（たとえば、図８中のＲＬＣステータス報告８１４）を含み得る。
【０１９７】
[00215]ステップ１３０６において、ＵＥは、データが、第２のＲＡＴを使用する第２の通信リンクを介してネットワークからサービスされるか、またはネットワークに送信される、ことを示す構成メッセージをネットワークから受信する。たとえば、図８を参照すると、ＵＥ７１５は、構成メッセージ８０８（たとえば、ＲＲＣ接続再構成メッセージ）を受信する。一態様では、構成メッセージは、データステータス報告、および／またはデータステータス報告についての要求を含む。一態様では、少なくとも１つのプロトコルレイヤステータス報告は、構成メッセージと同時に、または構成メッセージ内で受信される。一態様では、少なくとも１つのプロトコルレイヤステータス報告は、構成メッセージと同時に、構成メッセージについてのネットワークへの物理レイヤ肯定応答の送信の後に、または構成メッセージについてのネットワークへの肯定応答メッセージの送信の後に、のいずれかで、第１のＲＡＴを介して受信される。
【０１９８】
[00216]ステップ１３０８において、ＵＥは、構成メッセージについての物理レイヤ肯定応答および／または構成メッセージに応答するＲＲＣメッセージを送信する。たとえば、図８を参照すると、ＵＥはｅＮＢ７０５ａにＡＣＫ８１２を送信する。
【０１９９】
[00217]ステップ１３１０において、ＵＥは、構成メッセージについての物理レイヤ肯定応答を送信すると、タイマーを始動させる。
【０２００】
[00218]ステップ１３１２において、ＵＥは、タイマーの満了まで、少なくとも１つのプロトコルレイヤステータス報告を受信することを待つ。
【０２０１】
[00219]ステップ１３１４において、ＵＥは、タイマーの満了時に、１つまたは複数のプロトコルレイヤをリセットする。
【０２０２】
[00220]ステップ１３１６において、ＵＥは、第１のＲＡＴを使用する第１の通信リンクを介して、少なくとも１つのプロトコルレイヤステータス報告と同時に、受信された構成メッセージについてネットワークに肯定応答メッセージを送信する。
【０２０３】
[00221]ステップ１３１８において、ＵＥは、第１のＲＡＴを使用する第１の通信リンクを介して、受信された構成メッセージについてネットワークに少なくとも１つのプロトコルレイヤステータス報告を含む肯定応答メッセージを送信する。
【０２０４】
[00222]ステップ１３２０において、ＵＥは、第２のＲＡＴを使用する第２の通信リンクを介して、ネットワークからサービスされたデータを受信するか、またはネットワークにデータを送信するために、受信された構成メッセージに基づいて、少なくとも１つのプロトコルレイヤを構成する。
【０２０５】
[00223]ステップ１３２２において、ＵＥは、第２のＲＡＴが第１のＲＡＴに切り替えられた後に少なくとも１つのプロトコルレイヤを構成した後、第２のＲＡＴを使用する第２の通信リンクを介して送られるべきデータを記憶するためのバッファをクリアする。
【０２０６】
[00224]ステップ１３２４において、ＵＥは、少なくとも１つのプロトコルレイヤステータス報告をネットワークに送信する。たとえば、図８を参照すると、ＵＥ７１５は、ＰＤＣＰステータス報告８２２を送信する。一態様では、少なくとも１つのプロトコルレイヤステータス報告は、第１のＲＡＴを介してＵＥによって受信されたデータを識別する。一態様では、少なくとも１つのプロトコルレイヤステータス報告は、第１のＲＡＴを使用する第１の通信リンクを介して送信される。一態様では、少なくとも１つのプロトコルレイヤステータス報告は、ＰＤＣＰレイヤステータス報告および／またはＲＬＣレイヤステータス報告を含む。一態様では、少なくとも１つのプロトコルレイヤステータス報告は、少なくとも１つのプロトコルレイヤステータス報告が第２のＲＡＴを使用する第２の通信リンクを介して送られるとき、ＡＰを通してネットワークに送られる。
【０２０７】
[00225]ステップ１３２６において、ＵＥは、第１のＲＡＴを使用する第１の通信リンク、または第２のＲＡＴを使用する第２の通信リンクを介してネットワークとの間で少なくとも１つのプロトコルレイヤステータス報告を送り、受信する。
【０２０８】
[00226]ステップ１３２８において、ＵＥは、第２の通信リンクを使用してＷＬＡＮ  ＡＰ（たとえば、ＷＬＡＮ  ＡＰ７０５−ｂ）を通してネットワークにフィードバック情報を送信する。一態様では、フィードバック情報は、正常に送信されたデータパケットおよび失敗したデータパケットについてのステータスを示す。
【０２０９】
[00227]ステップ１３３０において、ＵＥは、パケットの送信成功のステータスについてネットワークにフィードバック情報を送信する。
【０２１０】
[00228]最後に、ステップ１３３２において、ＵＥは、第２のＲＡＴを使用する第２の通信リンクを介して、ネットワークからサービスされたデータを受信するか、またはネットワークにデータを送信する。
【０２１１】
[00229]図１４は、例示的な装置１４０２における異なるモジュール／手段／構成要素間のデータフローを示す概念データフロー図１４００である。本装置はＵＥであり得る。本装置は、ネットワークからサービスされたデータを受信し、データが、第２のＲＡＴを使用する第２の通信リンクを介してネットワークからサービスされるか、またはネットワークに送信される、ことを示す構成メッセージをネットワークから受信し、第２のＲＡＴを使用する第２の通信リンクを介してネットワークからサービスされたデータを受信し、少なくとも１つのプロトコルレイヤステータス報告を受信するモジュール１４０４を含む。
【０２１２】
[00230]本装置は、第２のＲＡＴを使用する第２の通信リンクを介して、ネットワークからサービスされたデータを受信するか、またはネットワークにデータを送信するために、受信された構成メッセージに基づいて、少なくとも１つのプロトコルレイヤを構成するモジュール１４１４をさらに含む。
【０２１３】
[00231]本装置は、第１のＲＡＴを使用する第１の通信リンクを介してネットワークにデータを送信し、構成メッセージについての物理レイヤ肯定応答または構成メッセージに応答するＲＲＣメッセージのうちの少なくとも１つを送信し、ネットワークに少なくとも１つのプロトコルレイヤステータス報告を送信し、少なくとも１つのプロトコルレイヤステータス報告は、第１のＲＡＴまたは第２のＲＡＴを介してＵＥによって受信されたデータを識別し、第２の通信リンクを使用してＡＰを通してネットワークにフィードバック情報を送信し、ここにおいて、フィードバック情報は、正常に送信されたデータパケットおよび失敗したデータパケットについてのステータスを示し、パケットの送信成功のステータスについてネットワークにフィードバック情報を送信し、第１のＲＡＴを使用する第１の通信リンクまたは第２のＲＡＴを使用する第２の通信リンクを介してネットワークとの間で少なくとも１つのプロトコルレイヤステータス報告を送り、受信する送信モジュール１４１８をさらに含む。
【０２１４】
[00232]本装置は、物理レイヤ肯定応答を送信するとタイマーを始動させるモジュール１４０８をさらに含む。
【０２１５】
[00233]本装置は、タイマーの満了まで、少なくとも１つのプロトコルレイヤステータス報告を受信することを待つモジュール１４１０をさらに含む。
【０２１６】
[00234]本装置は、タイマーの満了時に、１つまたは複数のプロトコルレイヤをリセットするモジュール１４１２をさらに含む。
【０２１７】
[00235]本装置は、少なくとも１つのプロトコルレイヤを構成した後、第２のＲＡＴを使用する第２の通信リンクを介して受信されたデータを記憶するためのバッファをクリアするモジュール１４１６をさらに含む。
【０２１８】
[00236]本装置は、第２のＲＡＴを使用する第２の通信リンクを介してネットワークにデータを送信するモジュール１４１８をさらに含む。
【０２１９】
[00237]本装置は、図１３Ａおよび図１３Ｂの上述のフローチャート中のアルゴリズムのブロックの各々を実行する追加のモジュールを含み得る。したがって、図１３Ａおよび図１３Ｂの上述のフローチャート中の各ブロックは１つのモジュールによって実行され得、本装置は、それらのモジュールのうちの１つまたは複数を含み得る。それらのモジュールは、述べられたプロセス／アルゴリズムを実行するように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０２２０】
[00238]図１５は、処理システム１５１４を採用する装置１４０２’のためのハードウェア実装形態の一例を示す図１５００である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４によって表される１つまたは複数のプロセッサおよび／またはハードウェアモジュールと、モジュール１４０４、１４０６、１４０８、１４１０、１４１２、１４１４、１４１６、および１４１８と、コンピュータ可読媒体／メモリ１５０６とを含む様々な回路を互いにリンクする。バス１５２４はまた、タイミングソース、周辺機器、電圧調整器、および電力管理回路など、様々な他の回路をリンクし得るが、これらの回路は当技術分野においてよく知られており、したがって、これ以上説明しない。
【０２２１】
[00239]処理システム１５１４はトランシーバ１５１０に結合され得る。トランシーバ１５１０は１つまたは複数のアンテナ１５２０に結合される。トランシーバ１５１０は、伝送媒体を介して様々な他の装置と通信するための手段を与える。トランシーバ１５１０は、１つまたは複数のアンテナ１５２０から信号を受信し、受信された信号から情報を抽出し、抽出された情報を処理システム１５１４、特に受信モジュール１４０１に与える。さらに、トランシーバ１５１０は、処理システム１５１４、特に送信モジュール１４１８から情報を受信し、受信された情報に基づいて、１つまたは複数のアンテナ１５２０に適用されるべき信号を生成する。処理システム１５１４は、コンピュータ可読媒体／メモリ１５０６に結合されたプロセッサ１５０４を含む。プロセッサ１５０４は、コンピュータ可読媒体／メモリ１５０６に記憶されたソフトウェアの実行を含む一般的な処理を担当する。ソフトウェアは、プロセッサ１５０４によって実行されたとき、処理システム１５１４に、特定の装置のための上記で説明した様々な機能を実行させる。コンピュータ可読媒体／メモリ１５０６はまた、ソフトウェアを実行するときにプロセッサ１５０４によって操作されるデータを記憶するために使用され得る。処理システムは、モジュール１４０４、１４０６、１４０８、１４１０、１４１２、１４１４、１４１６、および１４１８のうちの少なくとも１つをさらに含む。それらのモジュールは、プロセッサ１５０４中で走行して、コンピュータ可読媒体／メモリ１５０６中に常駐する／記憶されたソフトウェアモジュールであるか、プロセッサ１５０４に結合された１つまたは複数のハードウェアモジュールであるか、またはそれらの何らかの組合せであり得る。処理システム１５１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０２２２】
[00240]一構成では、ワイヤレス通信のための装置１４０２／１４０２’は、第１のＲＡＴを使用する第１の通信リンクを介して、ネットワークからサービスされたデータを受信するか、またはネットワークにデータを送信する、ための手段ための手段と、データが、第２のＲＡＴを使用する第２の通信リンクを介してネットワークからサービスされるか、またはネットワークに送信される、ことを示す構成メッセージをネットワークから受信するための手段と、第２のＲＡＴを使用する第２の通信リンクを介して、ネットワークからサービスされたデータを受信するか、またはネットワークにデータを送信するために、受信された構成メッセージに基づいて、少なくとも１つのプロトコルレイヤを構成するための手段と、第２のＲＡＴを使用する第２の通信リンクを介して、ネットワークからサービスされたデータを受信するか、またはネットワークにデータを送信する、ための手段と、構成メッセージについての物理レイヤ肯定応答、または構成メッセージに応答するＲＲＣメッセージのうちの少なくとも１つを送信するための手段と、物理レイヤ肯定応答を送信すると、タイマーを始動させるための手段と、タイマーの満了まで、少なくとも１つのプロトコルレイヤステータス報告を受信することを待つための手段と、タイマーの満了時に、１つまたは複数のプロトコルレイヤをリセットするための手段と、少なくとも１つのプロトコルレイヤを構成した後、第２のＲＡＴを使用する第２の通信リンクを介して受信されたデータを記憶するためのバッファをクリアするための手段と、少なくとも１つのプロトコルレイヤステータス報告をネットワークに送信するための手段と、少なくとも１つのプロトコルレイヤステータス報告は、第１のＲＡＴまたは第２のＲＡＴを介してＵＥによって受信されたデータを識別する、構成肯定応答メッセージまたは別のシグナリングメッセージ上で少なくとも１つのプロトコルレイヤステータス報告を送るための手段と、切り替えられているデータベアラ上で少なくとも１つのプロトコルレイヤステータス報告を送るための手段と、切り替えられていない、および、第１のＲＡＴを使用する第１の通信リンク、または第２のＲＡＴを使用する第２の通信リンクのいずれかによってサービスされる、別のデータベアラ上で少なくとも１つのプロトコルレイヤステータス報告を送るための手段と、第１のＲＡＴを使用する第１の通信リンクを介して、少なくとも１つのプロトコルレイヤステータス報告と同時に、受信された構成メッセージについてネットワークに肯定応答メッセージを送信するための手段、あるいは第１のＲＡＴを使用する第１の通信リンクを介して、受信された構成メッセージについてネットワークに少なくとも１つのプロトコルレイヤステータス報告を含む肯定応答メッセージを送信するための手段と、少なくとも１つのプロトコルレイヤステータス報告を受信するための手段と、第２の通信リンクを使用してＡＰを通してネットワークにフィードバック情報を送信するための手段と、ここにおいて、フィードバック情報は、正常に送信されたデータパケットおよび失敗したデータパケットについてのステータスを示す、パケットの送信成功のステータスについてネットワーク��フィードバック情報を送信するための手段と、第１のＲＡＴを使用する第１の通信リンク、または第２のＲＡＴを使用する第２の通信リンクを介してネットワークとの間で少なくとも１つのプロトコルレイヤステータス報告を送り、受信するための手段とを含む。上述の手段は、上述の手段によって具陳された機能を実行するように構成された、装置１４０２の上述のモジュールおよび／または装置１４０２’の処理システム１５１４のうちの１つまたは複数であり得る。上記で説明したように、処理システム１５１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成された、ＴＸプロセッサ６６８と、ＲＸプロセッサ６５６と、コントローラ／プロセッサ６５９とであり得る。
【０２２３】
[00241]図１６は、本開示の一態様による、ワイヤレス通信の方法のフローチャート１６００である。本方法は、ＡＰ（たとえば、ＷＬＡＮ  ＡＰ７０５−ｂ、装置１７０２／１７０２’）によって実行され得る。図１６において点線で示されているステップは随意のステップを表すことを理解されたい。ステップ１６０２において、ＡＰは、第１のＲＡＴ（たとえば、ＷｉＦｉ）を使用する第１の通信リンクを介して、ネットワークによってフォワーディングされたデータをＵＥにサービスする。
【０２２４】
[00242]ステップ１６０４において、ＡＰは、第１のＲＡＴを使用する第１の通信リンクを介してＵＥから少なくとも１つのプロトコルレイヤステータス報告を受信する。
【０２２５】
[00243]ステップ１６０６において、ＡＰは、少なくとも１つのプロトコルレイヤステータス報告をネットワークにフォワーディングする。
【０２２６】
[00244]ステップ１６０８において、ＡＰは、データが、第２のＲＡＴ（たとえば、ＬＴＥ）を使用する第２の通信リンクを介してＵＥにサービスされることを示すメッセージをネットワークから受信する。
【０２２７】
[00245]ステップ１６１０において、ＡＰは、メッセージを受信すると、バッファ中に記憶された肯定応答がないデータをドロップする。
【０２２８】
[00246]ステップ１６１２において、ＡＰは、第１のＲＡＴ上の送信エラーによる失敗したデータの量がしきい値を超えるとき、ネットワークによってフォワーディングされたデータをＵＥにもはやサービスしない。
【０２２９】
[00247]最後に、ステップ１６１４において、ＡＰは、メッセージを受信すると、第１のＲＡＴを使用する第１の通信リンクを介してＵＥにデータをもはやサービスしない。
【０２３０】
[00248]図１７は、例示的な装置１７０２における異なるモジュール／手段／構成要素間のデータフローを示す概念データフロー図１７００である。本装置はＡＰであり得る。本装置は、データが、第２のＲＡＴを使用する第２の通信リンクを介してＵＥ１７５０にサービスされることを示すメッセージ（たとえば、メッセージ１７１６）をネットワーク（たとえば、ｅＮＢ１７５２）から受信し、第１のＲＡＴを使用する第１の通信リンクを介してＵＥから少なくとも１つのプロトコルレイヤステータス報告を受信する受信モジュール１７０４を含む。本装置は、メッセージを受信すると、バッファ中に記憶された肯定応答がないデータをドロップするモジュール１７０６をさらに含む。本装置は、第１のＲＡＴを使用する第１の通信リンクを介して、ネットワークによってフォワーディングされたデータ（たとえば、データ１７１８）をＵＥ１７５０にサービスし、メッセージを受信すると、第１のＲＡＴを使用する第１の通信リンクを介してＵＥ１７５０にデータをもはやサービスせず、第１のＲＡＴ上の送信エラーによる失敗したデータの量がしきい値を超えるとき、ネットワークによってフォワーディングされたデータをＵＥにもはやサービスしないモジュール１７０８をさらに含む。本装置は、少なくとも１つのプロトコルレイヤステータス報告（たとえば、プロトコルレイヤステータス報告１７１４）をネットワークに送る送信モジュール１７１２をさらに含む。
【０２３１】
[00249]本装置は、図１６の上述のフローチャート中のアルゴリズムのブロックの各々を実行する追加のモジュールを含み得る。したがって、図１６の上述のフローチャート中の各ブロックは１つのモジュールによって実行され得、本装置は、それらのモジュールのうちの１つまたは複数を含み得る。それらのモジュールは、述べられたプロセス／アルゴリズムを実行するように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０２３２】
[00250]図１８は、処理システム１８１４を採用する装置１７０２’のためのハードウェア実装形態の一例を示す図１８００である。処理システム１８１４は、バス１８２４によって概略的に表されるバスアーキテクチャを用いて実装され得る。バス１８２４は、処理システム１８１４の特定の適用例および全体的な設計制約に応じて、任意の数の相互接続バスおよびブリッジを含み得る。バス１８２４は、プロセッサ１８０４によって表される１つまたは複数のプロセッサおよび／またはハードウェアモジュールと、モジュール１７０４、１７０６、１７０８、１７１０、および１７１２と、コンピュータ可読媒体／メモリ１８０６とを含む様々な回路を互いにリンクする。バス１８２４はまた、タイミングソース、周辺機器、電圧調整器、および電力管理回路など、様々な他の回路をリンクし得るが、これらの回路は当技術分野においてよく知られており、したがって、これ以上説明しない。
【０２３３】
[00251]処理システム１８１４はトランシーバ１８１０に結合され得る。トランシーバ１８１０は１つまたは複数のアンテナ１８２０に結合される。トランシーバ１８１０は、伝送媒体を介して様々な他の装置と通信するための手段を与える。トランシーバ１８１０は、１つまたは複数のアンテナ１８２０から信号を受信し、受信された信号から情報を抽出し、抽出された情報を処理システム１８１４、特に受信モジュール１７０４に与える。さらに、トランシーバ１８１０は、処理システム１８１４、特に送信モジュール１７１２から情報を受信し、受信された情報に基づいて、１つまたは複数のアンテナ１８２０に適用されるべき信号を生成する。処理システム１８１４は、コンピュータ可読媒体／メモリ１８０６に結合されたプロセッサ１８０４を含む。プロセッサ１８０４は、コンピュータ可読媒体／メモリ１８０６に記憶されたソフトウェアの実行を含む一般的な処理を担当する。ソフトウェアは、プロセッサ１８０４によって実行されたとき、処理システム１８１４に、特定の装置のための上記で説明した様々な機能を実行させる。コンピュータ可読媒体／メモリ１８０６はまた、ソフトウェアを実行するときにプロセッサ１８０４によって操作されるデータを記憶するために使用され得る。処理システムは、モジュール１７０４、１７０６、１７０８、１７１０、および１７１２のうちの少なくとも１つをさらに含む。それらのモジュールは、プロセッサ１８０４中で走行して、コンピュータ可読媒体／メモリ１８０６中に常駐する／記憶されたソフトウェアモジュールであるか、プロセッサ１８０４に結合された１つまたは複数のハードウェアモジュールであるか、またはそれらの何らかの組合せであり得る。処理システム１８１４は、ｅＮＢ６１０の構成要素であり得、メモリ６７６および／またはＴＸプロセッサ６１６と、ＲＸプロセッサ６７０と、コントローラ／プロセッサ６７５とのうちの少なくとも１つを含み得る。
【０２３４】
[00252]一構成では、ワイヤレス通信のための装置１７０２／１７０２’は、第１のＲＡＴを使用する第１の通信リンクを介して、ネットワークによってフォワーディングされたデータをＵＥにサービスするための手段と、データが、第２のＲＡＴを使用する第２の通信リンクを介してＵＥにサービスされることを示すメッセージをネットワークから受信するための手段と、メッセージを受信すると、第１のＲＡＴを使用する第１の通信リンクを介してＵＥにデータをもはやサービスしないための手段と、メッセージを受信すると、バッファ中に記憶された肯定応答がないデータをドロップするための手段と、第１のＲＡＴ上の送信エラーによる失敗したデータの量がしきい値を超えるとき、ネットワークによってフォワーディングされたデータをＵＥにもはやサービスしないための手段と、第１のＲＡＴを使用する第１の通信リンクを介してＵＥから少なくとも１つのプロトコルレイヤステータス報告を受信するための手段と、少なくとも１つのプロトコルレイヤステータス報告をネットワークに送るための手段とを含む。上述の手段は、上述の手段によって具陳された機能を実行するように構成された、装置１７０２の上述のモジュールおよび／または装置１７０２’の処理システム１８１４のうちの１つまたは複数であり得る。上記で説明したように、処理システム１８１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成された、ＴＸプロセッサ６１６と、ＲＸプロセッサ６７０と、コントローラ／プロセッサ６７５とであり得る。
【０２３５】
[00253]開示したプロセス／フローチャート中のステップの特定の順序または階層は、例示的な手法の一例であることを理解されたい。設計上の選好に基づいて、プロセス／フローチャート中のステップの特定の順序または階層は再構成され得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【０２３６】
[00254]以上の説明は、当業者が本明細書で説明した様々な態様を実施できるようにするために提供される。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後で知られることになる、本開示全体にわたって説明した様々な態様の要素のすべての構造的および機能的均等物は、参照により本明細書に明確に組み込まれ、特許請求の範囲によって包含されるものとする。さらに、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
［Ｃ１］
第１の無線アクセス技術（ＲＡＴ）を使用する第１の通信リンクを介してユーザ機器（ＵＥ）にデータをサービスすること、または前記ＵＥからデータを受信することと、
データが、第２のＲＡＴを使用する第２の通信リンクを介してサービスされるまたは受信されることを示す構成メッセージを前記ＵＥに送信することと、
データのサービスまたは受信を、前記第１のＲＡＴを使用する前記第１の通信リンクから、前記第２のＲＡＴを使用する前記第２の通信リンクに切り替えるための構成手順を開始することと
を備える、ワイヤレス通信の方法。
［Ｃ２］
前記第１のＲＡＴを使用してサービスされた前記データのうちの肯定応答がないデータを決定することをさらに備える、Ｃ１に記載の方法。
［Ｃ３］
前記第２のＲＡＴを使用してサービスされるべき、前記肯定応答がないデータをフォワーディングすることをさらに備える、Ｃ２に記載の方法。
［Ｃ４］
前記構成メッセージが、データステータス報告と、前記ＵＥからのデータステータス報告についての要求とを備え得る、Ｃ１に記載の方法。
［Ｃ５］
少なくとも１つの条件に基づいて、前記第２のＲＡＴを使用して前記データをサービスすることを決定することをさらに備える、Ｃ１に記載の方法。
［Ｃ６］
前記少なくとも１つの条件が、前記ＵＥからの前記構成メッセージについての物理レイヤ肯定応答の受信、前記構成メッセージに応答する無線リソース制御（ＲＲＣ）メッセージの受信を備える、Ｃ５に記載の方法。
［Ｃ７］
前記第２のＲＡＴを使用して前記データをサービスすることを決定すると、無線リンク制御（ＲＬＣ）レイヤをリセットすることをさらに備える、Ｃ５に記載の方法。
［Ｃ８］
少なくとも１つのプロトコルレイヤステータス報告を前記ＵＥから受信することをさらに備え、前記少なくとも１つのプロトコルレイヤステータス報告が、前記第１のＲＡＴを介して前記ＵＥによって受信されたデータを識別し、ここにおいて、前記肯定応答がないデータが、前記少なくとも１つのプロトコルレイヤステータス報告に基づいて決定される、Ｃ２に記載の方法。
［Ｃ９］
前記少なくとも１つのプロトコルレイヤステータス報告が、前記第１のＲＡＴを介して受信される、Ｃ８に記載の方法。
［Ｃ１０］
前記少なくとも１つのプロトコルレイヤステータス報告が、パケットデータコンバージェンスプロトコル（ＰＤＣＰ）レイヤステータス報告または無線リンク制御（ＲＬＣ）レイヤステータス報告のうちの少なくとも１つを備える、Ｃ８に記載の方法。
［Ｃ１１］
前記第１のＲＡＴを使用する前記第１の通信リンクを介して前記構成メッセージについて前記ＵＥから肯定応答メッセージを受信することをさらに備え、ここにおいて、少なくとも１つのプロトコルレイヤステータス報告が、前記肯定応答メッセージと同時に、または前記肯定応答メッセージ内で前記ＵＥから受信される、Ｃ１に記載の方法。
［Ｃ１２］
前記構成メッセージについて前記ＵＥから肯定応答を受信することをさらに備え、ここにおいて、肯定応答がないデータが、前記受信された肯定応答に応答して前記第２のＲＡＴにフォワーディングされる、Ｃ１に記載の方法。
［Ｃ１３］
前記構成メッセージについての物理レイヤ肯定応答を検出することをさらに備え、ここにおいて、肯定応答がないデータが、前記検出された物理レイヤ肯定応答に応答してフォワーディングされる、Ｃ１に記載の方法。
［Ｃ１４］
少なくとも１つのプロトコルレイヤステータス報告を前記ＵＥに送ることをさらに備える、Ｃ１に記載の方法。
［Ｃ１５］
前記少なくとも１つのプロトコルレイヤステータス報告が、前記構成メッセージと同時に、あるいは前記構成メッセージまたは別のシグナリングメッセージ内で前記ＵＥに送られる、Ｃ１４に記載の方法。
［Ｃ１６］
切り替えられているデータベアラ上で前記少なくとも１つのプロトコルレイヤステータス報告を送ることをさらに備える、Ｃ１４に記載の方法。
［Ｃ１７］
切り替えられていない、および、前記第１のＲＡＴを使用する前記第１の通信リンク、または前記第２のＲＡＴを使用する前記第２の通信リンクのいずれかによってサービスされる、別のデータベアラ上で前記少なくとも１つのプロトコルレイヤステータス報告を送ることをさらに備える、Ｃ１４に記載の方法。
［Ｃ１８］
前記少なくとも１つのプロトコルレイヤステータス報告が、前記第１のＲＡＴまたは前記第２のＲＡＴを介して送られる、Ｃ１４に記載の方法。
［Ｃ１９］
前記少なくとも１つのプロトコルレイヤステータス報告が、前記構成メッセージと同時に、前記構成メッセージについての前記ＵＥからの物理レイヤ肯定応答の受信の後に、または前記構成メッセージについて前記ＵＥから肯定応答メッセージを受信した後に、のいずれかで、前記第１のＲＡＴを介して前記ＵＥに送られる、Ｃ１８に記載の方法。
［Ｃ２０］
前記少なくとも１つのプロトコルレイヤステータス報告が、パケットデータコンバージェンスプロトコル（ＰＤＣＰ）レイヤステータス報告または無線リンク制御（ＲＬＣ）レイヤステータス報告のうちの少なくとも１つを備える、Ｃ１４に記載の方法。
［Ｃ２１］
アクセスポイント（ＡＰ）からフィードバック情報を受信することをさらに備え、ここにおいて、前記フィードバック情報が、正常に送信されたデータパケットおよび失敗したデータパケットについてのステータスを示す、Ｃ１に記載の方法。
［Ｃ２２］
前記第２のＲＡＴを使用する前記第２の通信リンクを介してサービスされるべき前記データのコピーをバッファ中に記憶することをさらに備える、Ｃ１に記載の方法。
［Ｃ２３］
パケットの送信成功のステータスについてアクセスポイント（ＡＰ）または前記ＵＥからフィードバック情報を受信することと、
前記フィードバック情報に基づいて、前記ＵＥまたは前記ＡＰのバッファ中で待機しているフォワーディングされたデータの量がしきい値を超えるかどうかを決定することと、
アクセスポイント（ＡＰ）バッファ中の前記データの量が前記しきい値を超えるとき、前記ＡＰにデータをもはやフォワーディングしないことと
をさらに備える、Ｃ１に記載の方法。
［Ｃ２４］
前記第２のＲＡＴ上の送信エラーによる失敗したパケットの量がしきい値を超えるとき、アクセスポイント（ＡＰ）または前記ＵＥにデータをもはやフォワーディングしないことをさらに備える、Ｃ１に記載の方法。
［Ｃ２５］
前記第１のＲＡＴを使用する前記第１の通信リンク、または前記第２のＲＡＴを使用する前記第２の通信リンクを介して前記ＵＥとの間で少なくとも１つのプロトコルレイヤステータス報告を送り、受信することをさらに備える、Ｃ１に記載の方法。
［Ｃ２６］
前記少なくとも１つのプロトコルレイヤステータス報告は、前記少なくとも１つのプロトコルレイヤステータス報告が前記第２のＲＡＴを介して受信されるとき、前記ＡＰまたは前記ＵＥを通して受信される、Ｃ２４に記載の方法。
［Ｃ２７］
前記第２のＲＡＴを使用する前記第２の通信リンク上の送信エラーによる失敗したパケットの量がしきい値を超えるとき、アクセスポイント（ＡＰ）または前記ＵＥにデータをもはやフォワーディングしないことをさらに備える、Ｃ１に記載の方法。
［Ｃ２８］
第１の無線アクセス技術（ＲＡＴ）を使用する第１の通信リンクを介して、ネットワークからサービスされたデータを受信すること、または前記ネットワークにデータを送信することと、
データが、第２のＲＡＴを使用する第２の通信リンクを介して前記ネットワークからサービスされるか、または前記ネットワークに送信される、ことを示す構成メッセージを前記ネットワークから受信することと、
前記第２のＲＡＴを使用する前記第２の通信リンクを介して、前記ネットワークからサービスされた前記データを受信するために、または前記ネットワークにデータを送信するために、前記受信された構成メッセージに基づいて、少なくとも１つのプロトコルレイヤを構成することと、
前記第２のＲＡＴを使用する前記第２の通信リンクを介して、前記ネットワークからサービスされた前記データを受信すること、または前記ネットワークにデータを送信することと
を備える、ワイヤレス通信の方法。
［Ｃ２９］
第１の無線アクセス技術（ＲＡＴ）を使用する第１の通信リンクを介して、ネットワークによってフォワーディングされたデータをユーザ機器（ＵＥ）にサービスすることと、
前記データが、第２のＲＡＴを使用する第２の通信リンクを介して前記ＵＥにサービスされることを示すメッセージを前記ネットワークから受信することと、
前記メッセージを受信すると、前記第１のＲＡＴを使用する前記第１の通信リンクを介して前記ＵＥに前記データをもはやサービスしないことと
を備える、ワイヤレス通信の方法。
［Ｃ３０］
メモリと、
前記メモリに結合された少なくとも１つのプロセッサと
を備え、前記少なくとも１つのプロセッサは、
第１の無線アクセス技術（ＲＡＴ）を使用する第１の通信リンクを介してユーザ機器（ＵＥ）にデータをサービスすること、または前記ＵＥからデータを受信することと、
データが、第２のＲＡＴを使用する第２の通信リンクを介してサービスされるまたは受信されることを示す構成メッセージを前記ＵＥに送信することと、
データのサービスまたは受信を、前記第１のＲＡＴを使用する前記第１の通信リンクから、前記第２のＲＡＴを使用する前記第２の通信リンクに切り替えるための構成手順を開始することと
を行うように構成された、
ワイヤレス通信のための装置。
【図１】
0006370914.tif 000002
【図２】
0006370914.tif 000003
【図３】
0006370914.tif 000004
【図４】
0006370914.tif 000005
【図５】
0006370914.tif 000006
【図６】
0006370914.tif 000007
【図７Ａ】
0006370914.tif 000008
【図７Ｂ】
0006370914.tif 000009
【図８】
0006370914.tif 000010
【図９】
0006370914.tif 000011
【図１０Ａ】
0006370914.tif 000012
【図１０Ｂ】
0006370914.tif 000013
【図１１】
0006370914.tif 000014
【図１２】
0006370914.tif 000015
【図１３Ａ】
0006370914.tif 000016
【図１３Ｂ】
0006370914.tif 000017
【図１４】
0006370914.tif 000018
【図１５】
0006370914.tif 000019
【図１６】
0006370914.tif 000020
【図１７】
0006370914.tif 000021
【図１８】
0006370914.tif 000022